(57)【要約】ワイヤレス通信のための方法、システム、およびデバイスが説明される。送信機は、局が第１のチャネル上で送られたパケットの復号に失敗したとのフィードバックを受信し得、送信機は、失敗パケットを復号するのを支援するために第１のチャネル上でまたは第２のチャネル上でパケットを再送することまたはパリティビットを送ることを決定し得る。第１のチャネルは、アンライセンス無線周波数スペクトル中にあり得、第２のチャネルは、ライセンス無線周波数スペクトル中にあり得、第１のチャネルと比べてより高い信頼性レベルを有し得る。送信機は、第１のチャネルの劣化レベルを決定し得、これは、局から受信された信号対ノイズ比に基づき得る、この劣化に基づいて、送るべきパリティビットの量を決定し得る。送信機は、各チャネルの信頼性レベルを決定し得、これは、チャネル品質インジケータに基づき得る。【選択図】図１４
2018529295.tif 000002
【特許請求の範囲】
【請求項１】
ワイヤレス通信の方法であって、
アンライセンス無線周波数スペクトル帯域中の第１のチャネル上でパケットを送信機から受信すること、前記第１のチャネルは、第１の信頼性レベルに関連付けられる、と、
前記パケットの復号が不成功に終わったことを識別するフィードバックを前記送信機に送信することと、
前記アンライセンス無線周波数スペクトル帯域中の前記第１のチャネルまたはライセンス無線周波数スペクトル帯域中の第２のチャネルのいずれか上で、前記識別されたパケットに少なくとも部分的に基づいた送信を前記送信機から受信すること、前記第２のチャネルは、前記第１の信頼性レベルより高い第２の信頼性レベルに関連付けられる、と
を備える方法。
【請求項２】
復号が不成功に終わった前記パケットをバッファに記憶することをさらに備える、
請求項１に記載の方法。
【請求項３】
前記識別されたパケットに関連付けられた拡張パリティビットを、前記第１のチャネルまたは前記第２のチャネル上で前記送信機から受信することと、
前記拡張パリティビットを使用して、前記記憶されたパケットを復号することと
をさらに備える、請求項２に記載の方法。
【請求項４】
復号が不成功に終わった前記パケットに少なくとも部分的に基づいて第２のパケットを、前記第１のチャネルまたは前記第２のチャネル上で前記送信機から受信することと、
前記記憶されたパケットと前記第２のパケットとを組み合わせることと
をさらに備える、請求項２に記載の方法。
【請求項５】
前記組み合わされたパケットを復号することをさらに備える、
請求項４に記載の方法。
【請求項６】
前記第１のチャネルの信号対ノイズ比を決定することと、
前記信号対ノイズ比を前記送信機に送信することと
をさらに備える、請求項１に記載の方法。
【請求項７】
ワイヤレス通信の方法であって、
アンライセンス無線周波数スペクトル帯域中の第１のチャネル上でパケットを受信デバイスに送信すること、前記第１のチャネルは、第１の信頼性レベルに関連付けられる、と、
前記受信デバイスによる前記パケットの復号が不成功に終わったことを識別するフィードバックを受信することと、
前記第１のチャネルの劣化レベルを決定することと、
前記第１のチャネルの前記劣化レベルに少なくとも部分的に基づいて、前記アンライセンス無線周波数スペクトル帯域中の前記第１のチャネルまたはライセンス無線周波数スペクトル帯域中の第２のチャネルから選択すること、前記第２のチャネルは、前記第１の信頼性レベルより高い第２の信頼性レベルに関連付けられる、と
を備える方法。
【請求項８】
前記選択されたチャネル上で前記受信デバイスに送信することをさらに備え、前記送信は、前記識別されたパケットに少なくとも部分的に基づく、
請求項７に記載の方法。
【請求項９】
前記第１のチャネルの前記劣化レベルに少なくとも部分的に基づいて、送信すべき前記識別されたパケットに関連付けられた拡張パリティビットの量を決定することと、
前記選択されたチャネル上で前記拡張パリティビットを送信することと
をさらに備える、請求項７に記載の方法。
【請求項１０】
前記選択されたチャネル上で、前記識別されたパケットを送信することをさらに備える、
請求項７に記載の方法。
【請求項１１】
前記選択されたチャネルは、前記第１のチャネルの前記劣化レベルに少なくとも部分的に基づく、
請求項１０に記載の方法。
【請求項１２】
前記第１のチャネルについての信号対ノイズ比を受信することをさらに備え、前記第１のチャネルの前記劣化レベルを決定することは、前記受信された信号対ノイズ比に少なくとも部分的に基づく、
請求項７に記載の方法。
【請求項１３】
前記第１のチャネルについての第１のチャネル品質インジケータを決定することをさらに備え、前記第１のチャネルの前記第１の信頼性レベルは、前記第１のチャネル品質インジケータに少なくとも部分的に基づく、
請求項７に記載の方法。
【請求項１４】
前記第２のチャネルについての第２のチャネル品質インジケータを決定することをさらに備え、前記第２のチャネルの前記第２の信頼性レベルは、前記第２のチャネル品質インジケータに少なくとも部分的に基づく、
請求項７に記載の方法。
【請求項１５】
復号が不成功に終わったパケットを識別する前記フィードバックは、否定応答（ＮＡＣＫ）メッセージを備える、
請求項７に記載の方法。
【請求項１６】
ワイヤレス通信のための装置であって、
アンライセンス無線周波数スペクトル帯域中の第１のチャネル上でパケットを送信機から受信するための手段、前記第１のチャネルは、第１の信頼性レベルに関連付けられる、と、
前記パケットの復号が不成功に終わったことを識別するフィードバックを前記送信機に送信するための手段と、
前記アンライセンス無線周波数スペクトル帯域中の前記第１のチャネルまたはライセンス無線周波数スペクトル帯域中の第２のチャネルのいずれか上で、前記識別されたパケットに少なくとも部分的に基づいた送信を前記送信機から受信するための手段、前記第２のチャネルは、前記第１の信頼性レベルより高い第２の信頼性レベルに関連付けられる、と
を備える装置。
【請求項１７】
復号が不成功に終わった前記パケットをバッファに記憶するための手段をさらに備える、
請求項１６に記載の装置。
【請求項１８】
前記識別されたパケットに関連付けられた拡張パリティビットを、前記第１のチャネルまたは前記第２のチャネル上で前記送信機から受信するための手段と、
前記拡張パリティビットを使用して、前記記憶されたパケットを復号するための手段と
をさらに備える、請求項１７に記載の装置。
【請求項１９】
復号が不成功に終わった前記パケットに少なくとも部分的に基づいて第２のパケットを、前記第１のチャネルまたは前記第２のチャネル上で前記送信機から受信するための手段と、
前記記憶されたパケットと前記第２のパケットとを組み合わせるための手段と
をさらに備える、請求項１７に記載の装置。
【請求項２０】
前記組み合わされたパケットを復号するための手段をさらに備える、
請求項１９に記載の装置。
【請求項２１】
前記第１のチャネルの信号対ノイズ比を決定するための手段と、
前記信号対ノイズ比を前記送信機に送信するための手段と
をさらに備える、請求項１６に記載の装置。
【請求項２２】
ワイヤレス通信のための装置であって、
アンライセンス無線周波数スペクトル帯域中の第１のチャネル上でパケットを受信デバイスに送信するための手段、前記第１のチャネルは、第１の信頼性レベルに関連付けられる、と、
前記受信デバイスによる前記パケットの復号が不成功に終わったことを識別するフィードバックを受信するための手段と、
前記第１のチャネルの劣化レベルを決定するための手段と、
前記第１のチャネルの前記劣化レベルに少なくとも部分的に基づいて、前記アンライセンス無線周波数スペクトル帯域中の前記第１のチャネルまたはライセンス無線周波数スペクトル帯域中の第２のチャネルから選択するための手段、前記第２のチャネルは、前記第１の信頼性レベルより高い第２の信頼性レベルに関連付けられる、と
を備える装置。
【請求項２３】
前記選択されたチャネル上で前記受信デバイスに送信するための手段をさらに備える、ここにおいて、前記送信は、前記識別されたパケットに少なくとも部分的に基づく、
請求項２２に記載の装置。
【請求項２４】
前記第１のチャネルの前記劣化レベルに少なくとも部分的に基づいて、送信すべき前記識別されたパケットに関連付けられた拡張パリティビットの量を決定するための手段と、
前記選択されたチャネル上で前記拡張パリティビットを送信するための手段と
をさらに備える、請求項２２に記載の装置。
【請求項２５】
前記選択されたチャネル上で、前記識別されたパケットを送信するための手段をさらに備える、
請求項２２に記載の装置。
【請求項２６】
前記選択されたチャネルは、前記第１のチャネルの前記劣化レベルに少なくとも部分的に基づく、
請求項２５に記載の装置。
【請求項２７】
前記第１のチャネルの信号対ノイズ比を受信するための手段をさらに備え、前記命令は、前記受信された信号対ノイズ比に少なくとも部分的に基づいて、前記第１のチャネルの前記劣化レベルを決定することを前記装置に行わせるように動作可能である、
請求項２２に記載の装置。
【請求項２８】
前記第１のチャネルについての第１のチャネル品質インジケータを決定するための手段をさらに備え、前記第１のチャネルの前記第１の信頼性レベルは、前記第１のチャネル品質インジケータに少なくとも部分的に基づく、
請求項２２に記載の装置。
【請求項２９】
前記第２のチャネルについての第２のチャネル品質インジケータを決定するための手段をさらに備え、前記第２のチャネルの前記第２の信頼性レベルは、前記第２のチャネル品質インジケータに少なくとも部分的に基づく、
請求項２２に記載の装置。
【請求項３０】
復号が不成功に終わったパケットを識別する前記フィードバックは、否定応答（ＮＡＣＫ）メッセージを備える、
請求項２２に記載の装置。
【発明の詳細な説明】
【相互参照】
【０００１】
[0001]本願は、本明細書の譲受人に譲渡される、２０１５年９月２２日に出願された、Kudekar等による「Reliable Channel Assisted Hybrid-ARQ」と題する米国特許出願第１４／８６１，６０４号に基づく優先権を主張する。
【背景技術】
【０００２】
[0002]下記は一般にワイヤレス通信に関し、より具体的には、信頼性のあるチャネル支援型ハイブリッド自動再送要求（ＨＡＲＱ）に関する。
【０００３】
[0003]ワイヤレス通信システムは、音声、ビデオ、パケットデータ、メッセージング、ブロードキャスト、等の、さまざまなタイプの通信コンテンツを与えるように広く展開されている。これらのシステムは、利用可能なシステムリソース（たとえば、時間、周波数、および電力）を共有することで複数のユーザとの通信をサポートする能力を有する多元接続システムであり得る。たとえば、Ｗｉ−Ｆｉ（すなわち、ＩＥＥＥ８０２．１１）ネットワークのようなワイヤレスローカルエリアネットワーク（ＷＬＡＮ）といったワイヤレスネットワークは、１つまたは複数の局（ＳＴＡ）またはモバイルデバイスと通信し得るアクセスポイント（ＡＰ）を含み得る。ＡＰは、インターネットのようなネットワークに結合され得、モバイルデバイスがこのネットワークを介して通信すること（または、アクセスポイントに結合された他のデバイスと通信すること）を可能にし得る。ワイヤレスデバイスは、ネットワークデバイスと双方向で通信し得る。たとえば、ＷＬＡＮでは、ＳＴＡは、ダウンリンク（ＤＬ）およびアップリンク（ＵＬ）を介して、関連するＡＰと通信し得る。ＤＬ（すなわち、順方向リンク）は、ＡＰからＳＴＡへの通信リンクを指し得、ＵＬ（すなわち、逆方向リンク）は、ＳＴＡからＡＰへの通信リンクを指し得る。
【０００４】
[0004]ワイヤレス通信は、送信中の損失または歪みに左右され得、結果として、受信機は、この送信の復号に失敗し得る。いくつかのワイヤレスシステムは、送信信頼性を向上させるために誤り訂正技法を組み込み得る。たとえば、送信機が欠損パケットを繰り返し送り得るか、パリティビットのような誤り訂正ビットが送信され得る。受信機は、パケットの復号の成功率を高めるために再送を使用し得る。再送は、ネットワークオーバーヘッドを増加させ得、受信機ハードウェアに要件を課し得る。
【発明の概要】
【０００５】
[0005]送信機は、局が第１のチャネル上で送られたパケットの復号に失敗したとのフィードバックを受信し得、送信機は、局が失敗パケットを復号するのを支援するために第１のチャネル上でまたは第２のチャネル上でパケットを再送することまたはパリティビットを送ることを決定し得る。第１のチャネルは、アンライセンス無線周波数スペクトル帯域中にあり得、第２のチャネルは、ライセンス無線周波数スペクトル帯域中にあり得、第１のチャネルと比べてより高い信頼性レベルを有し得る。送信機は、各チャネルの信頼性レベルを決定し得、これは、各チャネルについてのチャネル品質インジケータに基づき得る。送信機は、第１のチャネルの劣化レベルを決定し得、これは、局から受信された信号対ノイズ比に基づき得る、この劣化に基づいて、送るべきパリティビットの量を決定し得る。
【０００６】
[0006]ワイヤレス通信の方法が説明される。方法は、アンライセンス無線周波数スペクトル帯域中の第１のチャネル上でパケットを送信機から受信すること、第１のチャネルは、第１の信頼性レベルに関連付けられる、と、パケットの復号が不成功に終わったことを識別するフィードバックを送信機に送信することとを含み得る。方法は、アンライセンス無線周波数スペクトル帯域中の第１のチャネルまたはライセンス無線周波数スペクトル帯域中の第２のチャネルのいずれか上で、識別されたパケットに少なくとも部分的に基づいた送信を送信機から受信することをさらに含み得、ここで、第２のチャネルは、第１の信頼性レベルより高い第２の信頼性レベルに関連付けられ得る。
【０００７】
[0007]ワイヤレス通信のための装置が説明される。装置は、アンライセンス無線周波数スペクトル帯域中の第１のチャネル上でパケットを送信機から受信するための手段、第１のチャネルは、第１の信頼性レベルに関連付けられる、と、パケットの復号が不成功に終わったことを識別するフィードバックを送信機に送信するための手段とを含み得る。装置は、アンライセンス無線周波数スペクトル帯域中の第１のチャネルまたはライセンス無線周波数スペクトル帯域中の第２のチャネルのいずれか上で、識別されたパケットに少なくとも部分的に基づいた送信を送信機から受信するための手段をさらに含み得、第２のチャネルは、第１の信頼性レベルより高い第２の信頼性レベルに関連付けられる。
【０００８】
[0008]ワイヤレス通信のためのさらなる装置が説明される。装置は、プロセッサと、このプロセッサと電子通信しているメモリと、このメモリに記憶された命令とを含み得、メモリは、プロセッサによって実行されると、アンライセンス無線周波数スペクトル帯域中の第１のチャネル上でパケットを送信機から受信すること、第１のチャネルは、第１の信頼性レベルに関連付けられる、と、パケットの復号が不成功に終わったことを識別するフィードバックを送信機に送信することとを装置に行わせるように動作可能である。命令は、アンライセンス無線周波数スペクトル帯域中の第１のチャネルまたはライセンス無線周波数スペクトル帯域中の第２のチャネルのいずれか上で、識別されたパケットに少なくとも部分的に基づいた送信を送信機から受信することを装置にさらに行わせ得、第２のチャネルは、第１の信頼性レベルより高い第２の信頼性レベルに関連付けられる。
【０００９】
[0009]ワイヤレス通信のためのコードを記憶した非一時的なコンピュータ読取可能な媒体が説明される。コードは、アンライセンス無線周波数スペクトル帯域中の第１のチャネル上でパケットを送信機から受信すること、第１のチャネルは、第１の信頼性レベルに関連付けられる、と、パケットの復号が不成功に終わったことを識別するフィードバックを送信機に送信することとを行うために実行可能な命令を含み得る。コードは、アンライセンス無線周波数スペクトル帯域中の第１のチャネルまたはライセンス無線周波数スペクトル帯域中の第２のチャネルのいずれか上で、識別されたパケットに少なくとも部分的に基づいた送信を送信機から受信するために実行可能な命令をさらに含み得、第２のチャネルは、第１の信頼性レベルより高い第２の信頼性レベルに関連付けられる。
【００１０】
[0010]本明細書で説明される方法、装置、または非一時的なコンピュータ読取可能な媒体のいくつかの例は、復号が不成功に終わったパケットをバッファに記憶することと、識別されたパケットに関連付けられた拡張パリティビットを、第１のチャネルまたは第２のチャネル上で送信機から受信することと、受信した拡張パリティビットを使用して、記憶されたパケットを復号することとを行うためのプロセス、特徴、手段、または命令をさらに含み得る。追加的にまたは代替的に、いくつかの例は、復号が不成功に終わったパケットをバッファに記憶することと、復号が不成功に終わったパケットに少なくとも部分的に基づいて第２のパケットを、第１のチャネルまたは第２のチャネル上で送信機から受信することと、記憶されたパケットと第２のパケットとを組み合わせることと、組み合わされたパケットを復号することとを行うためのプロセス、特徴、手段、または命令を含み得る。
【００１１】
[0011]本明細書で説明される方法、装置、または非一時的なコンピュータ読取可能な媒体のいくつかの例は、第１のチャネルの信号対ノイズ比を決定することと、この信号対ノイズ比を送信機に送信することとを行うためのプロセス、特徴、手段、または命令をさらに含み得る。
【００１２】
[0012]ワイヤレス通信の方法が説明される。方法は、アンライセンス無線周波数スペクトル帯域中の第１のチャネル上でパケットを受信デバイスに送信すること、第１のチャネルは、第１の信頼性レベルに関連付けられる、と、受信デバイスによるパケットの復号が不成功に終わったことを識別するフィードバックを受信することとを含み得る。方法は、第１のチャネルの劣化レベルを決定することと、第１のチャネルの劣化レベルに少なくとも部分的に基づいて、アンライセンス無線周波数スペクトル帯域中の第１のチャネルまたはライセンス無線周波数スペクトル帯域中の第２のチャネルから選択すること、第２のチャネルは、第１の信頼性レベルより高い第２の信頼性レベルに関連付けられる、と、選択されたチャネル上で受信デバイスに送信すること、ここで、この送信は、識別されたパケットに少なくとも部分的に基づく、とをさらに含み得る。
【００１３】
[0013]ワイヤレス通信のための装置が説明される。装置は、アンライセンス無線周波数スペクトル帯域中の第１のチャネル上でパケットを受信デバイスに送信するための手段、第１のチャネルは、第１の信頼性レベルに関連付けられる、と、受信デバイスによるパケットの復号が不成功に終わったことを識別するフィードバックを受信するための手段とを含み得る。装置は、第１のチャネルの劣化レベルを決定するための手段と、第１のチャネルの劣化レベルに少なくとも部分的に基づいて、アンライセンス無線周波数スペクトル帯域中の第１のチャネルまたはライセンス無線周波数スペクトル帯域中の第２のチャネルから選択するための手段、第２のチャネルは、第１の信頼性レベルより高い第２の信頼性レベルに関連付けられる、と、選択されたチャネル上で受信デバイスに送信するための手段、ここで、この送信は、識別されたパケットに少なくとも部分的に基づく、とをさらに含み得る。
【００１４】
[0014]ワイヤレス通信のためのさらなる装置が説明される。装置は、プロセッサと、このプロセッサと電子通信しているメモリと、このメモリに記憶された命令とを含み得、メモリは、プロセッサによって実行されると、アンライセンス無線周波数スペクトル帯域中の第１のチャネル上でパケットを受信デバイスに送信すること、第１のチャネルは、第１の信頼性レベルに関連付けられる、と、受信デバイスによるパケットの復号が不成功に終わったことを識別するフィードバックを受信することとを装置に行わせるように動作可能である。命令は、第１のチャネルの劣化レベルを決定することと、第１のチャネルの劣化レベルに少なくとも部分的に基づいて、アンライセンス無線周波数スペクトル帯域中の第１のチャネルまたはライセンス無線周波数スペクトル帯域中の第２のチャネルから選択すること、第２のチャネルは、第１の信頼性レベルより高い第２の信頼性レベルに関連付けられる、と、選択されたチャネル上で受信デバイスに送信すること、ここで、この送信は、識別されたパケットに少なくとも部分的に基づく、とを装置にさらに行わせ得る。
【００１５】
[0015]ワイヤレス通信のためのコードを記憶した非一時的なコンピュータ読取可能な媒体が説明される。コードは、アンライセンス無線周波数スペクトル帯域中の第１のチャネル上でパケットを受信デバイスに送信すること、第１のチャネルは、第１の信頼性レベルに関連付けられる、と、受信デバイスによるパケットの復号が不成功に終わったことを識別するフィードバックを受信することとを行うために実行可能な命令を含み得る。コードは、第１のチャネルの劣化レベルを決定することと、第１のチャネルの劣化レベルに少なくとも部分的に基づいて、アンライセンス無線周波数スペクトル帯域中の第１のチャネルまたはライセンス無線周波数スペクトル帯域中の第２のチャネルから選択すること、第２のチャネルは、第１の信頼性レベルより高い第２の信頼性レベルに関連付けられる、と、選択されたチャネル上で受信デバイスに送信すること、ここで、この送信は、識別されたパケットに少なくとも部分的に基づく、とを行うためにさらに実行可能な命令を含み得る。
【００１６】
[0016]本明細書で説明される方法、装置、または非一時的なコンピュータ読取可能な媒体のいくつかの例は、第１のチャネルの識別された劣化レベルに少なくとも部分的に基づいて、送信すべき、識別されたパケットに関連付けられた拡張パリティビットの量を決定することと、選択されたチャネル上で拡張パリティビットを送信することとを行うためのプロセス、特徴、手段、または命令をさらに含み得る。追加的にまたは代替的に、いくつかの例は、第１のチャネルの識別された劣化レベルに少なくとも部分的に基づいて、選択されたチャネル上で、識別されたパケットを送信するためのプロセス、特徴、手段、または命令を含み得る。
【００１７】
[0017]本明細書で説明される方法、装置、または非一時的なコンピュータ読取可能な媒体のいくつかの例は、第１のチャネルの信号対ノイズ比を受信することと、第１のチャネルの劣化レベルが、受信された信号対ノイズ比に少なくとも部分的に基づいていると決定することとを行うためのプロセス、特徴、手段、または命令をさらに含み得る。追加的にまたは代替的に、いくつかの例は、第１のチャネルについての第１のチャネル品質インジケータを決定すること、ここで、第１のチャネルの第１の信頼性レベルは、第１のチャネル品質インジケータに少なくとも部分的に基づく、と、第２のチャネルについての第２のチャネル品質インジケータを決定すること、ここで、第２のチャネルの第２の信頼性レベルは、第２のチャネル品質インジケータに少なくとも部分的に基づく、とを行うためのプロセス、特徴、手段、または命令を含み得る。
【００１８】
[0018]本明細書で説明された方法、装置、または非一時的なコンピュータ読取可能な媒体のいくつかの例では、復号が不成功に終わったパケットを識別するフィードバックは、否定応答（ＮＡＣＫ）メッセージを備える。
【００１９】
[0019]本開示の態様は、以下の図を参照して説明される。
【図面の簡単な説明】
【００２０】
【図１】図１は、本開示のさまざまな態様にしたがって構成された信頼性のあるチャネル支援型ＨＡＲＱのための（Ｗｉ−Ｆｉネットワークとしても知られている）ワイヤレスローカルエリアネットワーク（ＷＬＡＮ）１００を例示する。
【図２】図２は、本開示のさまざまな態様に係る、信頼性のあるチャネル支援型ＨＡＲＱをサポートするワイヤレス通信サブシステムの例を例示する。
【図３】図３は、本開示のさまざまな態様に係る、信頼性のあるチャネル支援型ＨＡＲＱをサポートする信号復号プロセスの例を例示する。
【図４】図４は、本開示のさまざまな態様に係る、信頼性のあるチャネル支援型ＨＡＲＱをサポートするプロセスフローの例を例示する。
【図５】図５は、本開示のさまざまな態様に係る、信頼性のあるチャネル支援型ＨＡＲＱをサポートするワイヤレスデバイスのブロック図を示す。
【図６】図６は、本開示のさまざまな態様に係る、信頼性のあるチャネル支援型ＨＡＲＱをサポートするワイヤレスデバイスのブロック図を示す。
【図７】図７は、本開示のさまざまな態様に係る、信頼性のあるチャネル支援型ＨＡＲＱをサポートするワイヤレスデバイスのブロック図を示す。
【図８】図８は、本開示のさまざまな態様に係る、信頼性のあるチャネル支援型ＨＡＲＱをサポートするＳＴＡを含むシステムのブロック図を例示する。
【図９】図９は、本開示のさまざまな態様に係る、信頼性のあるチャネル支援型ＨＡＲＱをサポートするワイヤレスデバイスのブロック図を示す。
【図１０】図１０は、本開示のさまざまな態様に係る、信頼性のあるチャネル支援型ＨＡＲＱをサポートするワイヤレスデバイスのブロック図を示す。
【図１１】図１１は、本開示のさまざまな態様に係る、信頼性のあるチャネル支援型ＨＡＲＱをサポートするワイヤレスデバイスのブロック図を示す。
【図１２】図１２は、本開示のさまざまな態様に係る、信頼性のあるチャネル支援型ＨＡＲＱをサポートするＡＰを含むシステムのブロック図を例示する。
【図１３】図１３は、本開示のさまざまな態様に係る、信頼性のあるチャネル支援型ＨＡＲＱのための方法を例示する。
【図１４】図１４は、本開示のさまざまな態様に係る、信頼性のあるチャネル支援型ＨＡＲＱのための方法を例示する。
【図１５】図１５は、本開示のさまざまな態様に係る、信頼性のあるチャネル支援型ＨＡＲＱのための方法を例示する。
【図１６】図１６は、本開示のさまざまな態様に係る、信頼性のあるチャネル支援型ＨＡＲＱのための方法を例示する。
【図１７】図１７は、本開示のさまざまな態様に係る、信頼性のあるチャネル支援型ＨＡＲＱのための方法を例示する。
【発明の詳細な説明】
【００２１】
[0029]ワイヤレス通信は、経路損失、ノイズ、または他の状態（condition）による損失または歪みに左右され得、結果として、受信機は、パケットの復号に失敗し得る。いくつかのワイヤレス通信システムは、信頼性を向上させるために誤り訂正技法を使用し得る。いくつかの技法は、パケットの復号が失敗に終わったことを示すインジケーションを受信することに応答して送信を送ることを伴い得る。次いで、受信機は、失敗パケットの復号を成功させるために、新たに受信した情報を使用し得る。いくつかのケースでは、パケット全体を再送するのではなく、たとえば、パリティビットのような、少数のビットだけが、失敗パケットを復号するのに必要とされ得る。第１のチャネル上で送られた元の送信が破損したため、第１のチャネルより高い信頼性の第２のチャネル上でパリティビットを送ることが有益であり得る。
【００２２】
[0030]誤り訂正技法には、送信機が、失敗パケットの複製バージョンを繰り返し送り得る自動再送要求（ＡＲＱ）が含まれ得る。他の技法には、再送されるパケットがデータへの修正を含み得るハイブリッドＡＲＱ（ＨＡＲＱ）が含まれる。たとえば、ＨＡＲＱにおける再送されるパケットのビットは、誤り訂正コードで符号化され得る。いくつかのケースでは、パリティビットは、誤り訂正コードと併用され得る。パリティビットは、１に等しい値を有する文字列内のビットの総数が奇数であるか偶数であるかを示し得る。パリティビットは、パケットとともに送信され得るか、パケットの復号が失敗に終わったとの通知の後に送られ得る。いくつかのケースでは、受信機は、失敗パケットを記憶し、失敗パケットを復号するために第２の送信を使用し得る。たとえば、受信機は、失敗パケットを、再送されたパケットと組み合わせて、すなわち、ソフトコンバインして、その後復号し得るか、受信機は、失敗パケットを復号するために、新たに受信されたパリティビットを使用し得る。
【００２３】
[0031]信頼性のあるサイドチャネルがアクセスポイント（ＡＰ）とモバイルデバイスまたは局（ＳＴＡ）との間に存在するシステムでは、前に失敗した送信に対して誤り訂正を実行するために、このチャネルを使用した方が良いであろう。たとえば、パケット劣化が深刻でない場合、復号の成功は、拡張パリティビットを送信することで達成され得る。より高い信頼性のチャネルが、使用のためにＡＰに対して増加した負担を負わせ得るため、送信機にある情報コンテンツ推定器は、いくつの余剰ビットをこのより高い信頼性のチャネル上で送るべきかを決め得る。チャネル状態と、送るべき余剰ビット数とに基づいて、送信機は、より高い信頼性のチャネル上で送信するかを決め得る。
【００２４】
[0032]一実施形態では、ＡＰは、第１のチャネル上でモバイルデバイスと通信し得、なお、第２のより高い信頼性のチャネルも存在し得る。たとえば、非ライセンス支援型Ｗｉ−Ｆｉチャネルは、第１のチャネルの例であり得、ライセンス支援型Ｗｉ−Ｆｉチャネルは、第２のより高い信頼性のチャネルの例であり得る。ライセンス帯域は、たとえば、直交周波数分割多元接続（ＯＦＤＭＡ）を使用することによる、または、送信ビームフォーミングを使用することによる、電力プーリング利得による、より高い信号対ノイズ比（ＳＮＲ）バジェットを達成する可能性のため、または改良された干渉管理技法のため、よりロバストであり得る。ＡＰは、第１のチャネル上でモバイルデバイスに送信し得る。モバイルデバイスがパケットの復号に失敗すると、それは、この失敗を示すために否定応答（ＮＡＣＫ）を送り得、失敗パケットをバッファに記憶し得る。次いで、追加のビットが、より高い信頼性のチャネル上で送られ得る。これらのビットは、受信機では、完全に信頼性のあるＨＡＲＱビットのように見え得る。このケースでは、繰り返しは無駄であり得、余剰ビットは、拡張パリティビットを表し得る。より高い信頼性のチャネル上で送られるパリティビットは、コードレートを下げ得、受信機が失敗パケットを復号することを可能にし得る、受信機での余剰パリティ検査方程式を表し得る。
【００２５】
[0033]受信機は、復号が失敗に終わるとＳＮＲを推定し得、復号が失敗に終わったことを示すインジケーションとともに、推定されたＳＮＲをＡＰに送り得る。次いで、ＡＰは、受信機に送信すべき余剰パリティビットの数と、どのチャネル上でかを決定し得る。より大きい劣化（たとえば、強い干渉源または低いＳＮＲの出現）のあるブロックは、第１のより低い信頼性のチャネル上でパケットを再送すること（たとえば、チェースコンバイニング）で対処され得る。わずかな増加を必要とするブロック（中間から高いＳＮＲケース）は、第２のより高い信頼性のチャネル上で送られる少数のビットで拡張され得る。送信機は、再送すべきビット数を計算するために、情報コンテンツ推定器を使用し得る。
【００２６】
[0034]ＡＰは、どのチャネル上で受信機に余剰ビットを送信するかを決定し得る。いくつかのケースでは、これは、受信機によって推定された、受信したＳＮＲに依存し得る。ＡＰは、１つまたは複数の利用可能なチャネルのチャネル品質インジケータ（ＣＱＩ）レポートの経過を追い得る。受信機における劣化の深刻度に依存して、ＡＰは、より高い信頼性のチャネルを使用するか否かを決め得る。より高い信頼性のチャネルがもたらすことができる１つの利点は、受信機が、余剰ビットを記憶するのにより小さいバッファを使用し得ることである。たとえば、余剰ビットがより低い信頼性のチャネル上で送られる場合、最適な復号のために、ソフトコンバインを使用すること、すなわち、第１と同様のサイズの第２のパケットを受信することが必要であり得、これは、受信機でのより大きいメモリ要件を引き起こす。
【００２７】
[0035]本開示の態様は、最初に、ワイヤレス通信システムのコンテキストで説明される。次いで、第１より高い信頼性の第２のチャネル上でパリティビットを送るための特定の例が説明される。本開示のこれらおよび他の態様はさらに、信頼性のあるチャネル支援型ＨＡＲＱに関連する装置図、システム図、およびフローチャートによって例示され、それらを参照して説明される。
【００２８】
[0036]図１は、本開示のさまざまな態様にしたがって構成された（Ｗｉ−Ｆｉネットワークとしても知られている）ワイヤレスローカルエリアネットワーク（ＷＬＡＮ）１００を例示する。ＷＬＡＮ１００は、ＡＰ１０５と複数の関連するＳＴＡ１１５とを含み得、これらは、モバイル局、携帯情報端末（ＰＤＡ）、他のハンドヘルドデバイス、ネットブック、ノートブックコンピュータ、タブレットコンピュータ、ラップトップ、ディスプレイデバイス（たとえば、ＴＶ、コンピュータモニタ、等）、プリンタ、等のようなデバイスを表し得る。ＡＰ１０５および関連する局１１５は、基本サービスセット（ＢＳＳ）または拡張サービスセット（ＥＳＳ）を表し得る。ネットワーク中のさまざまなＳＴＡ１１５は、ＡＰ１０５を通して互いに通信することが可能である。ＷＬＡＮ１００の基本サービスエリア（ＢＳＡ）を表し得る、ＡＰ１０５のカバレッジエリア１１０も示されている。ＷＬＡＮ１００に関連付けられた拡張ネットワーク局（図示されない）は、複数のＡＰ１０５がＥＳＳにおいて接続されることを可能にし得るワイヤードまたはワイヤレス分散システム（ＤＳ）（図示されない）に接続され得る。いくつかのケースでは、ＷＬＡＮ１００は、ライセンス無線周波数スペクトル帯域およびアンライセンス無線周波数スペクトル帯域の両方の中のチャネルを含み得、ＡＰ１０５は、送信と各チャネルの信頼性レベルとに基づいて、いずれかのチャネル上で送信し得る。
【００２９】
[0037]図１には示されていないが、ＳＴＡ１１５は、１つより多くのカバレッジエリア１１０の共通集合に位置し得、１つより多くのＡＰ１０５に関連付けられ得る。単一のＡＰ１０５と、ＳＴＡ１１５の関連セットとは、ＢＳＳと呼ばれ得る。ＥＳＳは、接続されたＢＳＳのセットである。いくつかのケースでは、ＡＰ１０５のカバレッジエリア１１０は、セクタ（同じく、図示されない）へと分割され得る。ＷＬＡＮネットワーク１００は、異なるタイプのカバレッジエリア１１０（たとえば、メトロポリタンエリア、ホームネットワーク、等）を有するＡＰ１０５を含み得、カバレッジエリア１１０は、さまざまであり、重複している。２つのＳＴＡ１１５はまた、両方のＳＴＡ１１５が同じカバレッジエリア１１０内にあるかにかかわらず、通信リンク１２５を介して直接通信し得る。通信リンク１２０の例には、Ｗｉ−Ｆｉ Ｄｉｒｅｃｔ接続、Ｗｉ−Ｆｉ ＴＤＬＳ（Tunneled Direct Link Setup）リンクおよび他のグループ接続が含まれ得る。ＳＴＡ１１５およびＡＰ１０５は、ＩＥＥＥ８０２．１１および８０２．１１ｂ、８０２．１１ｇ、８０２．１１ａ、８０２．１１ｎ、８０２．１１ａｃ、８０２．１１ａｄ、８０２．１１ａｈ、等を含むがそれらに制限されないバージョンからの物理（ＰＨＹ）および媒体アクセス制御（ＭＡＣ）レイヤのためのＷＬＡＮ無線およびベースバンドプロトコルにしたがって通信し得る。他の実施では、ピア・ツー・ピア接続またはアドホックネットワークがＷＬＡＮネットワーク１００内で実施され得る。
【００３０】
[0038]データは、論理チャネル、トランスポートチャネル、および物理レイヤチャネルに分割され得る。チャネルはまた、制御チャネルおよびトラフィックチャネルに分類され得る。論理制御チャネルは、ページング情報のためのページング制御チャネル（ＰＣＣＨ）、ブロードキャストシステム制御情報のためのブロード制御チャネル（ＢＣＣＨ）、マルチメディアブロードキャストマルチキャストサービス（ＭＢＭＳ）スケジューリングおよび制御情報を送信するためのマルチキャスト制御チャネル（ＭＣＣＨ）、専用制御情報を送信するための専用制御チャネル（ＤＣＣＨ）、ランダムアクセス情報のための共通制御チャネル（ＣＣＣＨ）、専用ＳＴＡデータのための専用トラフィックチャネル（ＤＴＣＨ）、およびマルチキャストデータのためのマルチキャストラフィックチャネル（ＭＴＣＨ）を含み得る。ダウンリンク（ＤＬ）トランスポートチャネルは、ブロードキャスト情報のためのブロードキャストチャネル（ＢＣＨ）、データ転送ためのダウンリンク共有チャネル（ＤＬ−ＳＣＨ）、ページング情報のためのページングチャネル（ＰＣＨ）、およびマルチキャスト送信のためのマルチキャストチャネル（ＭＣＨ）を含み得る。アップリンク（ＵＬ）トラスポートチャネルは、アクセスのためのランダムアクセスチャネル（ＲＡＣＨ）およびデータのためのアップリンク共有チャネル（ＵＬ−ＳＣＨ）を含み得る。ＤＬ物理チャネルは、ブロードキャスト情報のための物理ブロードキャストチャネル（ＰＢＣＨ）、制御フォーマット情報のための物理制御フォーマットインジケータチャネル（ＰＣＦＩＣＨ）、制御およびスケジューリング情報のための物理ダウンリンク制御チャネル（ＰＤＣＣＨ）、ＨＡＲＱステータスメッセージのための物理ＨＡＲＱインジケータチャネル（ＰＨＩＣＨ）、ユーザデータのための物理ダウンリンク共有チャネル（ＰＤＳＣＨ）、およびマルチキャストデータのための物理マルチキャストチャネル（ＰＭＣＨ）を含み得る。ＵＬ物理チャネルは、アクセスメッセージのための物理ランダムアクセスチャネル（ＰＲＡＣＨ）、制御データのための物理アップリンク制御チャネル（ＰＵＣＣＨ）、およびユーザデータのための物理アップリンク共有チャネル（ＰＵＳＣＨ）を含み得る。いくつかのケースでは、ＡＰは、アンライセンス無線周波数スペクトル中のチャネル上でまたはライセンス無線周波数スペクトル帯域上で送信するオプションを有し得る。これらの送信は、たとえば、失敗パケットを再送することまたは失敗パケットに関連付けられた拡張パリティビットを送ることにより、復号が失敗に終わったパケットのための誤り訂正に関係しているであろう。
【００３１】
[0039]用いられ得る１つの可能な誤り訂正技法はＨＡＲＱである。ＨＡＲＱは、データがワイヤレス通信リンク１２５上で正確に受信されることを確実にする方法であり得る。ＨＡＲＱは、（たとえば、巡回冗長検査（ＣＲＣ）を使用した）誤り検出、前方誤り訂正（ＦＥＣ）、または再送（たとえば、ＡＲＱ）の組み合わせを含み得る。ＨＡＲＱは、良好でない（poor）無線状態（たとえば、低い信号対ノイズ比条件）でのＭＡＣレイヤにおけるスループットを改善し得る。増加的冗長ＨＡＲＱ（Incremental Redundancy HARQ）では、不正確に受信されたデータがバッファに記憶され、このデータの復号が成功する全体的な可能性を高めるために後続の送信と組み合わせられ得る。いくつかのケースでは、冗長ビットが、送信より前に各メッセージに追加され得る。これは特に、良好でない状態において有益であり得る。他のケースでは、冗長ビットは、各送信に追加されるのではなく、情報を復号しようとした試みの失敗を示す否定応答（ＮＡＣＫ）を、元のメッセージの送信機が受信した後に再送される。いくつかのケースでは、パリティビットは、メッセージとともに、または、ＮＡＣＫを受信した後に送信され得る。パリティビットは、１に等しい値を有する文字列内のビットの総数が奇数であるか偶数であるかを示し得る。送信、応答、および再送の連鎖が、ＨＡＲＱプロセスと呼ばれ得る。いくつかのケースでは、限られた数のＨＡＲＱプロセスが、所与の通信リンク１２５に対して使用され得る。いくつかのケースでは、通信リンク１２５は、アンライセンス無線周波数スペクトル帯域中にまたはライセンス無線周波数スペクトル帯域中にあり得る。
【００３２】
[0040]ＡＰ１０５は、チャネルを効率的に構成およびスケジューリングするためにＳＴＡ１１５からチャネル状態情報を集め得る。この情報は、チャネル状態レポート（channel state report）の形式でＳＴＡ１１５から送られ得る。チャネル状態レポートは、（たとえば、ＳＴＡ１１５のアンテナポートに基づいて）ＤＬ送信に対して使用されるべきレイヤ数を要求するランクインジケータ（ＲＩ）と、（レイヤ数に基づいて）どのプリコーダ行列が使用されるべきかについてのプリファレンスを示すプリコーディング行列インジケータ（ＰＭＩ）と、使用され得る最も高度な変調およびコード化方式（ＭＣＳ）を表すチャネル品質インジケータ（ＣＱＩ）とを含み得る。いくつかのケースでは、チャネル状態レポートが、送信チャネルの信号対ノイズ比を含み得るか、ＳＴＡ１１５が、信号対ノイズ比を別にＡＰ１０５に送り得る。ＣＱＩは、セル固有基準信号（ＣＲＳ）またはチャネル状態（ＣＳＩ）−ＲＳのような所定のパイロットシンボルを受信した後にＳＴＡ１１５によって算出され得る。このレポートに含まれる情報のタイプは、レポーティングタイプを決定する。チャネル状態レポートは、周期的または非周期的であり得る。すなわち、ＡＰ１０５は、周期的なレポートを一定間隔で送るようにＳＴＡ１１５を構成し得、また、必要に応じて追加のレポートを要求し得る。非周期的なレポートは、セル帯域幅全体にわたるチャネル品質を示す広帯域レポート、最良のサブ帯域のサブセットを示すＳＴＡ選択レポート、または報告されるサブ帯域がＡＰ１０５によって選択される構成レポート（configured report）を含み得る。
【００３３】
[0041]ゆえに、本明細書で説明するように、ＡＰ１０５は、ＳＴＡ１１５が第１のチャネル上で送られたパケットの復号に失敗したとのフィードバックを受信し得、ＡＰ１０５は、ＳＴＡ１１５が失敗パケットを復号するのを支援するために第１のチャネルまたは第２のチャネル上でパケットを再送することまたはパリティビットを送ることを決定し得る。第１のチャネルは、アンライセンス無線周波数スペクトル帯域中にあり得、第２のチャネルは、ライセンス無線周波数スペクトル帯域中にあり得、第１のチャネルと比べてより高い信頼性レベルを有し得る。ＡＰ１０５は、第１のチャネルの劣化レベルを決定し得、これは、ＳＴＡ１１５から受信された信号対ノイズ比に基づき得、この劣化に基づいて、送るべきパリティビットの量を決定し得る。ＡＰ１０５は、各チャネルの信頼性レベルを決定し得、これは、各チャネルについてのチャネル品質インジケータに基づき得る。
【００３４】
[0042]図２は、本開示のさまざまな態様に係る、信頼性のあるチャネル支援型ＨＡＲＱのためのワイヤレス通信サブシステム２００の例を例示する。ワイヤレス通信サブシステム２００は、ＳＴＡ１１５−ａとＡＰ１０５−ａとを含み得、これらは、図１を参照して説明するように、それぞれ、ＳＴＡまたは１１５ＡＰ１０５の例であり得る。ＡＰ１０５−ａは、アンライセンス無線周波数スペクトル中にあり得、第１の信頼性レベルに関連付けられ得る通信リンク１２０−ａを通してＳＴＡ１１５−ａと通信し得る。ＡＰ１０５−ａはまた、ライセンス無線周波数スペクトル中にあり得、第２の信頼性レベルに関連付けられ得る通信リンク１２０−ｂを通してＳＴＡ１１５−ａと通信し得る。本明細書で説明するように、ＡＰ１０５−ａは、送信されるべきデータと、これら２つのチャネルの信頼性レベルとに基づいて、通信リンク１２０−ａまたは１２０−ｂ上で送信することを決定し得る。
【００３５】
[0043]ワイヤレス通信サブシステム２００は、経路損失、ノイズ、または他の状態による損失または歪みに左右され得、結果として、ＳＴＡ１１５−ａは、ＡＰ１０５−ａから受信されたパケットの復号に失敗し得る。ワイヤレス通信サブシステム２００は、信頼性を向上させるために誤り訂正技法を使用し得る。たとえば、これは、ＡＰ１０５−ａが失敗パケットの複製バージョンを繰り返し送り得るＡＲＱを使用し得る。いくつかのケースでは、この送信は、誤り検出に使用される冗長ビットを含み得る。ワイヤレス通信サブシステム２００はまた、再送されるパケットがデータへの修正を含み得るＨＡＲＱを用い得る。たとえば、再送されるパケットのビットは、誤り訂正コードで符号化され得る。いくつかのケースでは、パリティビットは、誤り訂正コードと併用され得る。パリティビットは、１に等しい値を有する文字列内のビットの総数が奇数であるか偶数であるかを示し得る。パリティビットは、パケットとともに送信され得るか、パケットの復号が失敗に終わったとの通知の後に送られ得る。いくつかのケースでは、ＳＴＡ１１５−ａは、失敗パケットを記憶し、それを、再送されたパケットと組み合わせ得る、すなわち、ソフトコンバインし得るか、ＳＴＡ１１５−ａは、失敗パケットを復号するために、新たに受信されたパリティビットを使用し得る。
【００３６】
[0044]標準的なＨＡＲＱでは、追加のパリティビットは、前のソフト値と組み合わされる（チェースコンバイニング）か、パリティ拡張を表す（増加的冗長）かのいずれかであり得るソフト値であり得る。チェースコンバイニングでは、すべての再送は、同じデータおよびパリティビットを含み得、ＳＴＡ１１５−ａは、この再送を、前の送信からの同じビットと組み合わせ得る。増加的冗長では、すべての再送は、前の送信とは異なる情報を含み得、ここで、情報ビットの同じセットを表すコード化されたビットの複数のセットが生成される。
【００３７】
[0045]ワイヤレス通信サブシステム２００は、ＡＰ１０５−ａとＳＴＡ１１５−ａとの間に、信頼性のあるサイドチャネル（たとえば、通信リンク１２０−ｂ）を含み得る。いくつかのケースでは、前に失敗した送信に対して誤り訂正を実行するために、このチャネルを使用した方が良いであろう。たとえば、パケット劣化が深刻でない場合、復号の成功は、拡張パリティビットを送信することで達成され得る。より高い信頼性のチャネルが、使用のためにＡＰ１０５−ａに対して増加した負担を負わせ得るため、ＡＰ１０５−ａにある情報コンテンツ推定器は、いくつの余剰ビットをこのより高い信頼性のチャネル上でＳＴＡ１１５−ａに送るべきかを決め得る。チャネル状態と、送るべき余剰ビットの数とに基づいて、ＡＰ１０５−ａは、より高い信頼性のチャネル上で送信するかを決め得る。
【００３８】
[0046]いくつかのケースでは、ＡＰ１０５−ａは、第１のチャネル（たとえば、通信リンク１２０−ａ）上でＳＴＡ１１５−ａと通信し得、なお、第２のより高い信頼性のチャネル（たとえば、通信リンク１２０−ｂ）も存在し得る。たとえば、非ライセンス支援型Ｗｉ−Ｆｉチャネルは、通信リンク１２０−ａの例であり得、ライセンス支援型Ｗｉ−Ｆｉチャネルは、通信リンク１２０−ａの例であり得る。ライセンス帯域は、たとえば、直交周波数分割多元接続（ＯＦＤＭＡ）を使用することによる、または、送信ビームフォーミングを使用することによる、「電力プーリング」利得によるより高い信号対ノイズ比（ＳＮＲ）バジェットを達成する、可能性のため、または改良された干渉管理技法のため、よりロバストであり得る。ＡＰ１０５−ａは、第１のチャネル上でＳＴＡ１１５−ａに送信し得る。ＳＴＡ１１５−ａがパケットの復号に失敗すると、それは、失敗を示すために否定応答（ＮＡＣＫ）を送り得、失敗パケットをバッファに記憶し得る。次いで、追加のビットが、通信リンク１２０−ｂ上で送られ得る。これらのビットは、ＳＴＡ１１５−ａでは、完全に信頼性のあるＨＡＲＱビットのように見え得る。このケースでは、繰り返しは無駄であり得、余剰ビットは、拡張パリティビットを表し得る。たとえば、高いＳＮＲでは、ΣＣ（ＳＮＲ）≧Ｃ（ΣＳＮＲ）であり、ここで、Ｃは、そのコンステレーションについてのシャノン容量を表す。より高い信頼性のチャネル上で送られるパリティビットは、コードレートを下げ得、ＳＴＡ１１５−ａが失敗パケットを復号することを可能にし得る、ＳＴＡ１１５−ａにおける余剰パリティ検査方程式を表し得る。
【００３９】
[0047]ＳＴＡ１１５−ａは、復号が失敗に終わるとＳＮＲを推定し得、復号が失敗に終わったことを示すインジケーションとともに、推定されたＳＮＲをＡＰ１０５−ａに送り得る。次いで、ＡＰ１０５−ａは、受信機に送信すべき余剰パリティビットの数と、どの通信リンク上でかを決定し得る。（たとえば、強い干渉源または低いＳＮＲの出現により）より大きい劣化のあるブロックは、第１のチャネル（通信リンク１２０−ａ）上でパケットを再送すること（チェースコンバイニング）で対処され得る。わずかな増加を必要とするブロック（中間から高いＳＮＲケース）は、第２のより高い信頼性のチャネル（通信リンク１２０−ｂ）上で送られる少数のビットで拡張され得る。ＡＰ１０５−ａは、再送すべきビット数Ｎを計算するために情報コンテンツ推定器を使用し得、ここで、ＬＣＭ（ＳＮＲintantansous）＋Ｎ＝ＬＣＭ（ＳＮＲdesired）であり、Ｌは、元の送信されたコード化されたシンボルの数であり、Ｎは、より高い信頼性のチャネル（通信リンク１２０−ｂ）上で送られるべきビット数であり、ＣＭ（ｘ）は、ｘにおいて評価されたコンステレーションＭでの付加白色ガウス雑音（ＡＷＧＮ）チャネルの容量である。
【００４０】
[0048]ＡＰ１０５−ａは、ＳＴＡ１１５−ａに余剰ビットを送るためにどの通信リンクを使用するかを決定し得る。いくつかのケースでは、これは、ＳＴＡ１１５−ａによって推定された、受信したＳＮＲに依存し得る。ＡＰ１０５−ａは、１つまたは複数の利用可能なチャネル、たとえば、通信リンク１２０−ａおよび１２０−ｂ、のチャネル品質インジケータ（ＣＱＩ）レポートの経過を追い得る。ＳＴＡ１１５−ａにおける劣化の深刻度に依存して、ＡＰ１０５−ａは、より高い信頼性のチャネル（通信リンク１２０−ｂ）を使用するか否かを決め得る。より高い信頼性のチャネル（通信リンク１２０−ｂ）がもたらすことができる１つの利点は、ＳＴＡ１１５−ａが、余剰ビットを記憶するのにより小さいバッファを使用し得ることである。たとえば、余剰ビットがより低い信頼性のチャネル（通信リンク１２−ａ）上で送られる場合、最適な復号のために、ソフトコンバインを使用することが必要であり得、これは、元のパケットをそっくりそのまま再送することを伴い得、これは、ＳＴＡ１１５−ａに対してより大きいメモリ要件を引き起こす。
【００４１】
[0049]図３は、本開示のさまざまな態様に係る、信頼性のあるチャネル支援型ＨＡＲＱのための信号復号プロセス３００の例を例示する。信号復号プロセス３００は、図１−２で説明されたように、ＳＴＡ１１５とＡＰ１０５との間でのパケットまたは情報の交換を含み得る。ＳＴＡ１１５は、復号が失敗に終わったパケットを記憶し、ＮＡＣＫをＡＰ１０５に送り、ＮＡＣＫに応答して第２の送信を受信し、第２の送信に基づいて失敗パケットを復号し得る。
【００４２】
[0050]第１の送信３０５が、ＡＰ１０５からＳＴＡ１１５に送られ得る。第１の送信３０５は、複数のパケットを含み得、これは、システマティックビットまたはパリティビットを含み得る。システマティックビットは、データまたは情報ビットであり得る。パリティビットは、誤り訂正に対して使用され得、ＳＴＡ１１５がパケットの復号を成功させるのを助け得る。第１の送信３０５は、第１の信頼性レベルを有する第１のチャネル上で送られ得る。
【００４３】
[0051]第１の復号プロセス３１０では、ＳＴＡ１１５のデコーダは、受信デバイス（たとえば、ＳＴＡ１１５）が第１の送信３０５のシステマティックビットを正確に解釈し得るように、第１の送信３０５を復号しようと試み得る。第１の復号プロセス３１０が失敗に終わると、第１の送信３０５のパケットのうちのいくつかまたはすべてが、たとえば、バッファに記憶され得る。バッファされたビット３１５は、複数のパケットを含み得、これは、第１の送信３０５で受信されたシステマティックビットまたはパリティビットの第１のセットを含み得る。
【００４４】
[0052]第２の送信３２０は、送信機が受信機からＮＡＣＫメッセージを受信すると送られ得、第２の送信３２０は、ＮＡＣＫメッセージにおいて識別されたパケットに基づき得る。第２の送信３２０は、複数のパケットを含み得、これは、第１の送信３０５で送信されたのと同じまたは異なり得るシステマティックビットまたはパリティビットを含み得る。いくつかのケースでは、第２の送信３２０は、パリティビットだけを含み得る。他のケースでは、第２の送信３２０は、第１の送信３０５と同じであり得る。第２の送信３２０は、第１のチャネル上でまたは第２のチャネル上で送られ得る。第２のチャネルは、第１より高い信頼性レベルを有し得る。第１のチャネルは、アンライセンス無線周波数スペクトル帯域中にあり得、第２のチャネルは、ライセンス無線周波数スペクトル帯域中にあり得る。
【００４５】
[0053]第２の復号プロセス３２５では、受信機は、第２の送信３２０を使用することで、失敗パケットを復号しようと試み得る。これは、バッファされたシステマティックビット３１５を、第２の送信３２０で受信されたシステマティックビットとソフトコンバインすることを含み得るか、バッファされたシステマティックビット３１５を復号するために、バッファされたパリティビット３１５と、第２の送信３２０に含まれるパリティビットとを使用し得る。
【００４６】
[0054]図４は、本開示のさまざまな態様に係る、信頼性のあるチャネル支援型ＨＡＲＱのためのプロセスフロー４００の例を例示する。プロセスフロー４００は、ＳＴＡ１１５−ｂおよびＡＰ１０５−ｂを含み得、これらは、図１−２を参照して説明したＳＴＡ１１５およびＡＰ１０５の例であり得る。ＡＰ１０５−ｂは、ＳＴＡ１１５−ｂが第１のチャネル上で送られたパケットの復号が失敗に終わったとのフィードバックを受信し得、ＡＰ１０５−ｂは、局が失敗パケットを復号するのを支援するために第１のチャネルまたは第２のチャネル上でパケットを再送することまたはパリティビットを送ることを決定し得る。第２のチャネルは、第１のチャネルより高い信頼性レベルを有し得る。
【００４７】
[0055]４０５においてＡＰ１０５−ｂは、送信に利用可能なチャネルについてのチャネル品質インジケータ（ＣＱＩ）を決定し得る。ＡＰ１０５−ｂは、第１のチャネルについての第１のチャネル品質インジケータを決定し得、ここで、第１のチャネルの第１の信頼性レベルは、第１のチャネル品質インジケータに基づき得る。ＡＰ１０５−ｂはまた、第２のチャネルについての第２のチャネル品質インジケータを決定し得、ここで、第２のチャネルの第２の信頼性レベルは、第２のチャネル品質インジケータに基づき得る。いくつかのケースでは、第２の信頼性レベルは、第１の信頼性レベルより高いであろう。
【００４８】
[0056]４１０において、ＡＰ１０５−ｂは、第１のチャネル上でＳＴＡ１１５−ｂにパケットを送信し得る。いくつかのケースでは、第１のチャネルは、アンライセンス無線周波数スペクトル帯域中にあり、第１の信頼性レベルに関連付けられ得る。
【００４９】
[0057]４１５において、ＳＴＡ１１５−ｂは、パケットの復号に失敗し得、それらパケットを、たとえばバッファに記憶し得る。ＳＴＡ１１５−ｂは、復号が不成功に終わったパケットを識別するフィードバックをＡＰ１０５−ｂに送り得る。いくつかのケースでは、フィードバックは、否定応答（ＮＡＣＫ）メッセージに含まれ得る。いくつかのケースでは、ＳＴＡ１１５−ｂは、第１のチャネルの信号対ノイズ比を決定し得、この信号対ノイズ比をＡＰ１０５−ｂに送信し得る。いくつかの例では、信号対ノイズ比は、ＮＡＣＫメッセージとともに送信され得る。
【００５０】
[0058]復号が不成功に終わったパケットを識別するフィードバックを受信すると、ＡＰ１０５−ｂは、４２０において、送信すべき、識別されたパケットに関連付けられた拡張パリティビットの量を決定し得る。これは、ＡＰ１０５−ｂが第１のチャネルの劣化レベルを決定することを含み得、これは、第１のチャネルの受信された信号対ノイズ比に基づき得る。いくつかのケースでは、送信すべき拡張パリティビットの数は、第１のチャネルの識別された劣化レベルに基づき得る。
【００５１】
[0059]４２５において、ＡＰ１０５−ｂは、受信されたＮＡＣＫに応答して送信するために、第１のチャネルまたは第２のチャネルから選択し得る。第１のチャネルは、アンライセンス無線周波数スペクトル帯域中にあり得、第２のチャネルは、ライセンス無線周波数スペクトル帯域中にあり得る。第１のチャネルは、第１の信頼性レベルに関連付けられ得、第２のチャネルは、第１の信頼性レベルより高いであろう第２の信頼性レベルに関連付けられ得る。ＡＰ１０５−ｂは、それらのチャネルの信頼性レベルに基づいて、または、送るべきパリティビットの数に基づいて第１または第２のチャネルを選択し得る。
【００５２】
[0060]４３０において、ＡＰ１０５−ｂは、選択されたチャネル上でＳＴＡ１１５−ｂに送信し得、ここで、送信は、復号が前に失敗に終わった識別されたパケットに基づき得る。ＡＰ１０５−ｂは、選択されたチャネル上で拡張パリティビットを送信し得るか、第１のチャネルの識別された劣化レベルに基づいて、選択されたチャネル上で、復号が失敗に終わった識別されたパケットを送信し得る。
【００５３】
[0061]４３５において、ＳＴＡ１１５−ｂは、４３０における送信で送られた情報を使用して、記憶されたパケットを復号し得る。いくつかのケースでは、ＳＴＡ１１５−ｂは、受信した拡張パリティビットを使用してパケットを復号し得る。他のケースでは、ＳＴＡ１１５−ｂは、受信したパケットを、記憶されたパケットとソフトコンバインし、その後この組み合わせを復号し得る。
【００５４】
[0062]図５は、本開示のさまざまな態様に係る、信頼性のあるチャネル支援型ＨＡＲＱのために構成されたワイヤレスデバイス５００のブロック図を示す。ワイヤレスデバイス５００は、図１−４を参照して説明したＳＴＡ１１５の態様の例であり得る。ワイヤレスデバイス５００は、受信機５０５、送信誤り訂正モジュール５１０、または送信機５１５を含み得る。ワイヤレスデバイス５００はまた、プロセッサを含み得る。これらの構成要素の各々は、互いと通信しているであろう。
【００５５】
[0063]受信機５０５は、さまざまな情報チャネル（たとえば、制御チャネル、データチャネル、および信頼性のあるチャネル支援型ＨＡＲＱに関する情報、等）に関連付けられた制御情報、ユーザデータ、またはパケットのような情報を受信し得る。情報は、送信誤り訂正モジュール５１０におよびワイヤレスデバイス５００の他の構成要素に伝えられ得る。いくつかの例では、受信機５０５は、第１のチャネル上でパケットをＡＰから受信し得る。いくつかのケースでは、第１のチャネルは、アンライセンス無線周波数スペクトル帯域中にあり、第１の信頼性レベルに関連付けられ得る。
【００５６】
[0064]送信誤り訂正モジュール５１０は、パケットの復号が不成功に終わったことを識別するフィードバックをＡＰに送信し得る。次いで、送信誤り訂正モジュール５１０は、第１のチャネルまたは第２のチャネルのいずれか上で、識別されたパケットに基づいた送信をＡＰから受信し得る。いくつかのケースでは、第１のチャネルは、アンライセンス無線周波数スペクトル帯域中にあり得、第２のチャネルは、ライセンス無線周波数スペクトル帯域中にあり得る。第２のチャネルは、第１のチャネルの第１の信頼性レベルより高い第２の信頼性レベルに関連付けられ得る。
【００５７】
[0065]送信機５１５は、パケットの復号が不成功に終わったことを識別するフィードバックを含む、ワイヤレスデバイス５００の他の構成要素から受け取った信号を送信し得る。いくつかの例では、送信機５１５は、トランシーバモジュール中で、受信機５０５とコロケート（collocate）され得る。送信機５１５は、単一のアンテナを含み得るか、複数のアンテナを含み得る。
【００５８】
[0066]図６は、本開示のさまざまな態様に係る、信頼性のあるチャネル支援型ＨＡＲＱのためのワイヤレスデバイス６００のブロック図を示す。ワイヤレスデバイス６００は、図１−５を参照して説明したワイヤレスデバイス５００またはＳＴＡ１１５の態様の例であり得る。ワイヤレスデバイス６００は、受信機５０５−ａ、送信誤り訂正モジュール５１０−ａ、または送信機５１５−ａを含み得る。ワイヤレスデバイス６００はまた、プロセッサを含み得る。これらの構成要素の各々は、互いと通信しているであろう。送信誤り訂正モジュール５１０−ａはまた、送信フィードバックモジュール６０５と、誤り訂正メッセージングモジュール６１０とを含み得る。
【００５９】
[0067]受信機５０５−ａは、送信誤り訂正モジュール５１０−ａにおよびワイヤレスデバイス６００の他の構成要素に伝えられ得る情報を受信し得る。送信誤り訂正モジュール５１０−ａは、図５を参照して説明した動作を実行し得る。送信機５１５−ａは、ワイヤレスデバイス６００の他の構成要素から受け取った信号を送信し得る。
【００６０】
[0068]送信フィードバックモジュール６０５は、図２−４を参照して説明したように、パケットの復号が不成功に終わったことを識別するフィードバックをＡＰに送信し得る。いくつかの例では、復号が不成功に終わったパケットを識別するフィードバックは、否定応答（ＮＡＣＫ）メッセージを含む。
【００６１】
[0069]誤り訂正メッセージングモジュール６１０は、第１のチャネルまたは第２のチャネルのいずれか上で、識別されたパケットに基づいた送信をＡＰから受信し得る。第１のチャネルは、アンライセンス無線周波数スペクトル帯域中にあり得、第２のチャネルは、ライセンス無線周波数スペクトル帯域中にあり得る。いくつかのケースでは、第２のチャネルは、図２−４を参照して説明したように、第１のチャネルの第１の信頼性レベルより高い第２の信頼性レベルに関連付けられ得る。誤り訂正メッセージングモジュール６１０はまた、識別されたパケットに関連付けられた拡張パリティビットを、第１のチャネルまたは第２のチャネル上でＡＰから受信し得る。いくつかの例では、誤り訂正メッセージングモジュール６１０は、復号が不成功に終わったパケットに少なくとも部分的に基づいて第２のパケットを、第１のチャネルまたは第２のチャネル上でＡＰから受信し得る。
【００６２】
[0070]図７は、本開示のさまざまな態様に係る、信頼性のあるチャネル支援型ＨＡＲＱのためのワイヤレスデバイス５００またはワイヤレスデバイス６００の構成要素であり得る送信誤り訂正モジュール５１０−ｂのブロック図７００を示す。送信誤り訂正モジュール５１０−ｂは、図５−６を参照して説明した送信誤り訂正モジュール５１０の態様の例であり得る。送信誤り訂正モジュール５１０−ｂは、送信フィードバックモジュール６０５−ａおよび誤り訂正メッセージングモジュール６１０−ａを含み得る。これらのモジュールの各々は、図６を参照して説明した機能を実行し得る。送信誤り訂正モジュール５１０−ｂはまた、パケットバッファリングモジュール７０５と、パケット復号モジュール７１０と、信号対ノイズ比モジュール７１５とを含み得る。
【００６３】
[0071]パケットバッファリングモジュール７０５は、図２−４を参照して説明したように、復号が不成功に終わったパケットをバッファに記憶し得る。パケット復号モジュール７１０は、図２−４を参照して説明したように、受信した拡張パリティビットを使用して、記憶されたパケットを復号し得る。パケット復号モジュール７１０はまた、記憶されたパケットと第２のパケットとを組み合わせ得、また、組み合わされたパケットを復号し得る。
【００６４】
[0072]信号対ノイズ比モジュール７１５は、図２−４を参照して説明したように、第１のチャネルの信号対ノイズ比を決定し得る。信号対ノイズ比モジュール７１５はまた、この信号対ノイズ比をＡＰに送信し得る。
【００６５】
[0073]図８は、本開示のさまざまな態様に係る、信頼性のあるチャネル支援型ＨＡＲＱのために構成されたＳＴＡ１１５を含むシステム８００の図を示す。システム８００は、ＳＴＡ１１５−ｃを含み得、これは、図１、２、４、および５−７を参照して説明したワイヤレスデバイス５００、ワイヤレスデバイス６００、またはＳＴＡ１１５の例であり得る。ＳＴＡ１１５−ｃは、送信誤り訂正モジュール８１０を含み得、これは、図５−７を参照して説明した送信誤り訂正モジュール５１０の例であり得る。ＳＴＡ１１５−ｃはまた、デコーダ８２５を含み得る。デコーダ８２５は、受信した送信を復号し得、復号が失敗に終わったパケットを記憶するためのバッファを含み得る。ＳＴＡ１１５−ｃはまた、通信を送信するための構成要素および通信を受信するための構成要素を含む、双方向音声およびデータ通信のための構成要素を含み得る。たとえば、ＳＴＡ１１５−ｃは、ＳＴＡ１１５−ｄまたはＡＰ１０５−ｃと双方向で通信し得る。
【００６６】
[0074]ＳＴＡ１１５−ｃはまた、プロセッサ８０５と、（ソフトウェア（ＳＷ）８２０を含む）メモリ８１５と、トランシーバ８３５と、１つまたは複数のアンテナ８４０とを含み得、それらの各々は、（たとえば、バス８４５を介して）互いと直接的にまたは間接的に通信し得る。トランシーバ８３５は、上で説明したように、１つまたは複数のネットワークと、アンテナ８４０あるいはワイヤードまたはワイヤレスリンクを介して、双方向で通信し得る。たとえば、トランシーバ８３５は、ＡＰ１０５−ｃまたはＳＴＡ１１５−ｄと双方向で通信し得る。トランシーバ８３５は、パケットを変調して、変調されたパケットを送信のためにアンテナ８４０に供給するモデムを含み得る。モデムはまた、アンテナ８４０から受け取ったパケットを復調し得る。ＳＴＡ１１５−ｃは、単一のアンテナ８４０を含み得るが、ＳＴＡ１１５−ｃはまた、複数のワイヤレス送信をコンカレントに送信または受信することが可能である複数のアンテナ８４０を有し得る。
【００６７】
[0075]メモリ８１５は、ランダムアクセスメモリ（ＲＡＭ）および読取専用メモリ（ＲＯＭ）を含み得る。メモリ８１５は、実行されると、本明細書で説明されたさまざまな機能（たとえば、復号すること、バッファすること、信号対ノイズ比を決定すること、等）を実行することをプロセッサ８０５に行わせる命令を含むコンピュータ読取可能でコンピュータ実行可能なソフトウェア／ファームウェアコード８２０を記憶し得る。代替的に、ソフトウェア／ファームウェアコード８２０は、プロセッサ８０５によって直接的に実行可能ではなく、（たとえば、コンパイルおよび実行されると）本明細書で説明された機能を実行することをコンピュータに行わせ得る。プロセッサ８０５は、インテリジェントハードウェアデバイス、たとえば、中央処理ユニット（ＣＰＵ）、マイクロコントローラ、特定用途向け集積回路（ＡＳＩＣ）、等を含み得る。
【００６８】
[0076]図９は、本開示のさまざまな態様に係る、信頼性のあるチャネル支援型ＨＡＲＱのために構成されたワイヤレスデバイス９００のブロック図を示す。ワイヤレスデバイス９００は、図１−８を参照して説明したＡＰ１０５の態様の例であり得る。ワイヤレスデバイス９００は、受信機９０５、ＡＰ送信誤り訂正モジュール９１０、または送信機９１５を含み得る。ワイヤレスデバイス９００はまた、プロセッサを含み得る。これらの構成要素の各々は、互いと通信しているであろう。
【００６９】
[0077]受信機９０５は、さまざまな情報チャネル（たとえば、制御チャネル、データチャネル、および信頼性のあるチャネル支援型ＨＡＲＱに関する情報、等）に関連付けられた制御情報、ユーザデータ、またはパケットのような情報を受信し得る。情報は、ＡＰ送信誤り訂正モジュール９１０におよびワイヤレスデバイス９００の他の構成要素に伝えられ得る。
【００７０】
[0078]ＡＰ送信誤り訂正モジュール９１０は、第１のチャネル上でパケットを受信デバイスに送信し、受信デバイスによるパケットの復号が不成功に終わったことを識別するフィードバックを受信し得る。いくつかのケースでは、第１のチャネルは、アンライセンス無線周波数スペクトル帯域中にあり、第１の信頼性レベルに関連付けられ得る。次いで、ＡＰ誤り訂正モジュール９１０は、第１のチャネルの劣化レベルを決定し、第１のチャネルまたは第２のチャネルから選択して、この選択されたチャネル上で受信デバイスに送信し得、ここで、送信は、識別されたパケットに基づき得る。いくつかのケースでは、第２のチャネルは、ライセンス無線周波数スペクトル帯域中にあり、第１の信頼性レベルより高い第２の信頼性レベルに関連付けられ得る。誤り訂正モジュール９１０は、各チャネルについての劣化レベルまたは信頼性レベルに基づいてどちらかのチャネルを選択し得る。
【００７１】
[0079]送信機９１５は、ＡＰ送信誤り訂正モジュール９１０からの信号を含む、ワイヤレスデバイス９００の他の構成要素から受け取った信号を送信し得る。いくつかの例では、送信機９１５は、トランシーバモジュール中で、受信機９０５とコロケートされ得る。送信機９１５は、単一のアンテナを含み得るか、複数のアンテナを含み得る。いくつかの例では、送信機９１５は、アンライセンス無線周波数スペクトル帯域中の第１のチャネル上でパケットを受信デバイスに送信し得、ここで、第１のチャネルは、第１の信頼性レベルに関連付けられる。
【００７２】
[0080]図１０は、本開示のさまざまな態様に係る、信頼性のあるチャネル支援型ＨＡＲＱのために構成されたワイヤレスデバイス１０００のブロック図を示す。ワイヤレスデバイス１０００は、図１−９を参照して説明したワイヤレスデバイス９００またはＡＰ１０５の態様の例であり得る。ワイヤレスデバイス１０００は、受信機９０５−ａ、ＡＰ送信誤り訂正モジュール９１０−ａ、または送信機９１５−ａを含み得る。ワイヤレスデバイス１０００はまた、プロセッサを含み得る。これらの構成要素の各々は、互いと通信しているであろう。ＡＰ送信誤り訂正モジュール９１０−ａはまた、ＡＰ送信フィードバックモジュール１００５、チャネル品質モジュール１０１０、チャネル選択モジュール１０１５、およびＡＰ誤り訂正メッセージングモジュール１０２０を含み得る。
【００７３】
[0081]受信機９０５−ａは、ＡＰ送信誤り訂正モジュール９１０−ａにおよびワイヤレスデバイス１０００の他の構成要素に伝えられ得る情報を受信し得る。ＡＰ送信誤り訂正モジュール９１０−ａは、図９を参照して説明した動作を実行し得る。送信機９１５−ａは、ワイヤレスデバイス１０００の他の構成要素から受け取った信号を送信し得る。
【００７４】
[0082]ＡＰ送信フィードバックモジュール１００５は、図２−４を参照して説明したように、受信デバイスによるパケットの復号が不成功に終わったことを識別するフィードバックを受信し得る。いくつかのケースでは、フィードバックは、ＮＡＣＫメッセージの形式であり得、第１のチャネルの信号対ノイズ比を含み得る。
【００７５】
[0083]チャネル品質モジュール１０１０は、図２−４を参照して説明したように、第１のチャネルの劣化レベルを決定し得る。チャネル品質モジュール１０１０はまた、受信した信号対ノイズ比に基づいて第１のチャネルの劣化レベルを決定し得る。いくつかのケースでは、チャネル品質モジュール１０１０は、第１のチャネルについての第１のチャネル品質インジケータを決定し得、ここで、第１のチャネルの第１の信頼性レベルは、第１のチャネル品質インジケータに基づく。チャネル品質モジュール１０１０はまた、第２のチャネルについての第２のチャネル品質インジケータを決定し得、ここで、第２のチャネルの第２の信頼性レベルは、第２のチャネル品質インジケータに基づく。
【００７６】
[0084]チャネル選択モジュール１０１５は、パケットの復号が失敗に終わったことを示すフィードバックに応答して送信を送るために第１のチャネルまたは第２のチャネルから選択し得る。いくつかのケースでは、第１のチャネルは、アンライセンス無線周波数スペクトル帯域中にあり得、第２のチャネルは、ライセンス無線周波数スペクトル帯域中にあり得る。いくつかの例では、第２のチャネルは、第１のチャネルの第１の信頼性レベルより高い第２の信頼性レベルに関連付けられ得る。チャネル選択モジュール１０１５は、図２−４を参照して説明したように、第１のチャネルの劣化レベルに基づいてチャネルを選択し得る。
【００７７】
[0085]ＡＰ誤り訂正メッセージングモジュール１０２０は、選択されたチャネル上で受信デバイスに送信し得る。いくつかのケースでは、送信は、図２−４を参照して説明したように、復号が失敗に終わった識別されたパケットに基づく。
【００７８】
[0086]図１１は、本開示のさまざまな態様に係る、信頼性のあるチャネル支援型ＨＡＲＱのためのワイヤレスデバイス９００またはワイヤレスデバイス１０００の構成要素であり得るＡＰ送信誤り訂正モジュール９１０−ｂのブロック図１１００を示す。ＡＰ送信誤り訂正モジュール９１０−ｂは、図９−１０を参照して説明したＡＰ送信誤り訂正モジュール９１０の態様の例であり得る。ＡＰ送信誤り訂正モジュール９１０−ｂは、ＡＰ送信フィードバックモジュール１００５−ａ、チャネル品質モジュール１０１０−ａ、チャネル選択モジュール１０１５−ａ、およびＡＰ誤り訂正メッセージングモジュール１０２０−ａを含み得る。これらのモジュールの各々は、図１０を参照して説明した機能を実行し得る。ＡＰ送信誤り訂正モジュール９１０−ｂはまた、コンテンツ推定器モジュール１１０５およびＡＰ信号対ノイズ比モジュール１１１０を含み得る。
【００７９】
[0087]コンテンツ推定器モジュール１１０５は、図２−４を参照して説明したように、第１のチャネルの識別された劣化レベルに基づいて、送信すべき、復号が失敗に終わった識別されたパケットに関連付けられた拡張パリティビットの量を決定し得る。ＡＰ信号対ノイズ比モジュール１１１０は、図２−４を参照して説明したように、第１のチャネルの信号対ノイズ比を受信し得る。
【００８０】
[0088]図１２は、本開示のさまざまな態様に係る、信頼性のあるチャネル支援型ＨＡＲＱのために構成されたＡＰ１０５を含むシステム１２００の図を示す。システム１２００は、ＡＰ１０５−ｄを含み得、これは、図１、２、４、および９−１１を参照して説明したワイヤレスデバイス９００、ワイヤレスデバイス１０００、またはＡＰ１０５の例であり得る。ＡＰ１０５−ｄは、ＡＰ送信誤り訂正モジュール１２１０を含み得、これは、図９−１１を参照して説明したＡＰ送信誤り訂正モジュール９１０の例であり得る。ＡＰ１０５−ｄはまた、通信を送信するための構成要素および通信を受信するための構成要素を含む、双方向音声およびデータ通信のための構成要素を含み得る。たとえば、ＡＰ１０５−ｄは、ＳＴＡ１１５−ｅまたはＳＴＡ１１５−ｆと双方向で通信し得る。
【００８１】
[0089]いくつかのケースでは、ＡＰ１０５−ｄは、１つまたは複数のワイヤードバックホールリンクを有し得る。たとえば、ＡＰ１０５−ｄは、コアネットワークへのワイヤードバックホールリンクを有し得る。ＡＰ１０５−ｄはまた、バックホールリンクを介して、ＡＰ１０５−ｅおよびＡＰ１０５−ｆのような他のＡＰまたはＡＰ１０５と通信し得る。ＡＰ１０５の各々は、同じまたは異なるワイヤレス通信技術を使用してＳＴＡ１１５と通信し得る。いくつかのケースでは、ＡＰ１０５−ｄは、ＡＰ通信モジュール１２２５を利用してＡＰ１０５−ｅおよびＡＰ１０５−ｆのような他のＡＰと通信し得る。いくつかの例では、ＡＰ通信モジュール１２２５は、複数のＡＰ１０５のうちのいくつかの間での通信を提供するために、ロングタームエボリューション（ＬＴＥ（登録商標））／ＬＴＥ−Ａワイヤレス通信ネットワーク技術内のＸ２インタフェースを提供し得る。いくつかのケースでは、ＡＰ１０５−ｄは、ネットワーク通信モジュール１２３０を通じてコアネットワークと通信し得る。
【００８２】
[0090]ＡＰ１０５−ｄは、プロセッサ１２０５と、（ソフトウェア（ＳＷ）１２２０を含む）メモリ１２１５と、トランシーバ１２３５と、アンテナ１２４０とを含み得、それらは各々、（たとえば、バスシステム１２４５を通して）互いと直接的にまたは間接的に通信しているであろう。トランシーバ１２３５は、マルチモードデバイスであり得る、ＳＴＡ１１５と、アンテナ１２４０を介して双方向で通信するように構成され得る。トランシーバ１２３５（または、ＡＰ１０５−ｄの他の構成要素）はまた、１つまたは複数の他のＡＰ（図示されない）と、アンテナ１２４０を介して、双方向で通信するように構成され得る。トランシーバ１２３５は、パケットを変調して、変調されたパケットを送信のためにアンテナ１２４０に供給するように、および、アンテナ１２４０から受け取ったパケットを復調するように構成されたモデムを含み得る。ＡＰ１０５−ｄは、複数のトランシーバ１２３５を含み得、各々は、１つまたは複数の関連するアンテナ１２４０を有する。トランシーバは、図９の組み合わされた受信機９０５および送信機９１５の例であり得る。
【００８３】
[0091]メモリ１２１５は、ＲＡＭおよびＲＯＭを含み得る。メモリ１２１５はまた、実行されると、本明細書で説明されたさまざまな機能（たとえば、信頼性のあるチャネル支援型ＨＡＲＱ、チャネル品質を決定すること、送信のためのチャネルを選択すること、等）を実行することをプロセッサ１２０５に行わせるように構成された命令を含む、コンピュータ読取可能でコンピュータ実行可能なソフトウェアコード１２２０を記憶し得る。代替的に、ソフトウェア１２２０は、プロセッサ１２０５によって直接的に実行可能ではなく、たとえば、コンパイルおよび実行されると、本明細書で説明された機能を実行することをコンピュータに行わせるように構成され得る。プロセッサ１２０５は、インテリジェントハードウェアデバイス、たとえば、ＣＰＵ、マイクロコントローラ、ＡＳＩＣ、等を含み得る。プロセッサ１２０５は、エンコーダ、キュー処理モジュール、ベースバンドプロセッサ、無線ヘッドコントローラ、デジタルシグナルプロセッサ（ＤＳＰ）、等の、さまざまな専用プロセッサを含み得る。
【００８４】
[0092]ＡＰ通信モジュール１２２５は、他のＡＰ１０５との通信を管理し得る。いくつかのケースでは、通信管理モジュールは、他のＡＰ１０５と連携してＳＴＡ１１５との通信を制御するためのコントローラまたはスケジューラを含み得る。たとえば、ＡＰ通信モジュール１２２５は、ビームフォーミングまたはジョイント送信（joint transmission）のようなさまざまな干渉緩和技法に関して、ＳＴＡ１１５への送信のためのスケジューリングを調整し得る。
【００８５】
[0093]ワイヤレスデバイス５００、ワイヤレスデバイス６００、送信誤り訂正モジュール５１０、システム８００、ワイヤレスデバイス９００、およびＡＰ送信誤り訂正モジュール９１０の構成要素は、個々にまたは集合的に、ハードウェアにおける適用可能な機能のうちのいくつかまたはすべてを実行するよう適合された少なくとも１つのＡＳＩＣで実施され得る。代替的に、これら機能は、少なくとも１つの集積回路（ＩＣ）上で、１つまたは複数の他の処理ユニット（またはコア）によって実行され得る。他の例では、他のタイプの集積回路（たとえば、構造化／プラットフォームＡＳＩＣ（Structured/Platform ASIC）、フィールドプログラマブルゲートアレイ（ＦＰＧＡ）、または別のセミカスタムＩＣ）が使用され得、これらは、当技術分野で知られている任意の方法でプログラムされ得る。各ユニットの機能はまた、１つまたは複数の汎用または専用プロセッサによって実行されるようにフォーマットされた、メモリに具現化された命令で、全体的にまたは部分的に実施され得る。
【００８６】
[0094]図１３は、本開示のさまざまな態様に係る、信頼性のあるチャネル支援型ＨＡＲＱのための方法１３００を例示するフローチャートを示す。方法１３００の動作は、図１−１２を参照して説明したように、ＳＴＡ１１５またはその構成要素によって実施され得る。たとえば、方法１３００の動作は、図５−８を参照して説明したように、送信誤り訂正モジュール５１０によって実行され得る。いくつかの例では、ＳＴＡ１１５は、以下で説明される機能を実行するために、ＳＴＡ１１５の機能要素を制御するコードのセットを実行し得る。追加的にまたは代替的に、ＳＴＡ１１５は、専用ハードウェアを使用して、以下で説明される態様機能を実行し得る。
【００８７】
[0095]ブロック１３０５において、ＳＴＡ１１５は、図２−４を参照して説明したように、アンライセンス無線周波数スペクトル帯域中の第１のチャネル上でパケットを送信機から受信し得、第１のチャネルは、第１の信頼性レベルに関連付けられる。特定の例では、ブロック１３０５の動作は、図５を参照して説明したように、受信機５０５によって実行され得る。
【００８８】
[0096]ブロック１３１０において、ＳＴＡ１１５は、図２−４を参照して説明したように、パケットの復号が不成功に終わったことを識別するフィードバックを送信機に送信し得る。特定の例では、ブロック１３１０の動作は、図６を参照して説明したように、送信フィードバックモジュール６０５によって実行され得る。
【００８９】
[0097]ブロック１３１５において、ＳＴＡ１１５は、図２−４を参照して説明したように、アンライセンス無線周波数スペクトル帯域中の第１のチャネルまたはライセンス無線周波数スペクトル帯域中の第２のチャネルのいずれか上で、識別されたパケットに少なくとも部分的に基づいた送信を送信機から受信し得、第２のチャネルは、第１の信頼性レベルより高い第２の信頼性レベルに関連付けられる。特定の例では、ブロック１３１５の動作は、図６を参照して説明したように、誤り訂正メッセージングモジュール６１０によって実行され得る。
【００９０】
[0098]図１４は、本開示のさまざまな態様に係る、信頼性のあるチャネル支援型ＨＡＲＱのための方法１４００を例示するフローチャートを示す。方法１４００の動作は、図１−１２を参照して説明したように、ＳＴＡ１１５またはその構成要素によって実施され得る。たとえば、方法１４００の動作は、図５−８を参照して説明したように、送信誤り訂正モジュール５１０によって実行され得る。いくつかの例では、ＳＴＡ１１５は、以下で説明される機能を実行するために、ＳＴＡ１１５の機能要素を制御するコードのセットを実行し得る。追加的にまたは代替的に、ＳＴＡ１１５は、専用ハードウェアを使用して、以下で説明される態様機能を実行し得る。方法１４００はまた、図１３の方法１３００の態様を組み込み得る。
【００９１】
[0099]ブロック１４０５において、ＳＴＡ１１５は、図２−４を参照して説明したように、アンライセンス無線周波数スペクトル帯域中の第１のチャネル上でパケットをＡＰから受信し得、第１のチャネルは、第１の信頼性レベルに関連付けられる。特定の例では、ブロック１４０５の動作は、図５を参照して説明したように、受信機５０５によって実行され得る。
【００９２】
[0100]ブロック１４１０において、ＳＴＡ１１５は、図２−４を参照して説明したように、復号が不成功に終わったパケットをバッファに記憶し得る。特定の例では、ブロック１４１０の動作は、図７を参照して説明したように、パケットバッファリングモジュール７０５によって実行され得る。
【００９３】
[0101]ブロック１４１５において、ＳＴＡ１１５は、図２−４を参照して説明したように、パケットの復号が不成功に終わったことを識別するフィードバックをＡＰに送信し得る。特定の例では、ブロック１４１５の動作は、図６を参照して説明したように、送信フィードバックモジュール６０５によって実行され得る。
【００９４】
[0102]ブロック１４２０において、ＳＴＡ１１５は、図２−４を参照して説明したように、ライセンス無線周波数スペクトル帯域中の第２のチャネル上で、識別されたパケットに関連付けられた拡張パリティビットを送信機から受信し得、第２のチャネルは、第１の信頼性レベルより高い第２の信頼性レベルに関連付けられる。特定の例では、ブロック１４２０の動作は、図６を参照して説明したように、誤り訂正メッセージングモジュール６１０によって実行され得る。
【００９５】
[0103]ブロック１４２５において、ＳＴＡ１１５は、図２−４を参照して説明したように、受信した拡張パリティビットを使用して、記憶されたパケットを復号し得る。特定の例では、ブロック１４２５の動作は、図７を参照して説明したように、パケット復号モジュール７１０によって実行され得る。
【００９６】
[0104]図１５は、本開示のさまざまな態様に係る、信頼性のあるチャネル支援型ＨＡＲＱのための方法１５００を例示するフローチャートを示す。方法１５００の動作は、図１−１２を参照して説明したように、ＡＰ１０５またはその構成要素によって実施され得る。たとえば、方法１５００の動作は、図９−１２を参照して説明したように、ＡＰ送信誤り訂正モジュール９１０によって実行され得る。いくつかの例では、ＡＰ１０５は、以下で説明される機能を実行するために、ＡＰ１０５の機能要素を制御するコードのセットを実行し得る。追加的にまたは代替的に、ＡＰ１０５は、専用ハードウェアを使用して、以下で説明される態様機能を実行し得る。方法１５００はまた、図１３−１４の方法１３００および１４００の態様を組み込み得る。
【００９７】
[0105]ブロック１５０５において、ＡＰ１０５は、図２−４を参照して説明したように、アンライセンス無線周波数スペクトル帯域中の第１のチャネル上でパケットを受信デバイスに送信し得、第１のチャネルは、第１の信頼性レベルに関連付けられる。特定の例では、ブロック１５０５の動作は、図９を参照して説明したように、送信機９１５によって実行され得る。
【００９８】
[0106]ブロック１５１０において、ＡＰ１０５は、図２−４を参照して説明したように、受信デバイスによるパケットの復号が不成功に終わったことを識別するフィードバックを受信し得る。特定の例では、ブロック１５１０の動作は、図１０を参照して説明したように、ＡＰ送信フィードバックモジュール１００５によって実行され得る。
【００９９】
[0107]ブロック１５１５において、ＡＰ１０５は、図２−４を参照して説明したように、第１のチャネルの劣化レベルを決定し得る。特定の例では、ブロック１５１５の動作は、図１０を参照して説明したように、チャネル品質モジュール１０１０によって実行され得る。
【０１００】
[0108]ブロック１５２０において、ＡＰ１０５は、図２−４を参照して説明したように、第１のチャネルの劣化レベルに少なくとも部分的に基づいて、アンライセンス無線周波数スペクトル帯域中の第１のチャネルまたはライセンス無線周波数スペクトル帯域中の第２のチャネルから選択し得、第２のチャネルは、第１の信頼性レベルより高い第２の信頼性レベルに関連付けられる。特定の例では、ブロック１５２０の動作は、図１０を参照して説明したように、チャネル選択モジュール１０１５によって実行され得る。
【０１０１】
[0109]ブロック１５２５において、ＡＰ１０５は、図２−４を参照して説明したように、選択されたチャネル上で受信デバイスに送信し得、ここにおいて、この送信は、識別されたパケットに少なくとも部分的に基づく。特定の例では、ブロック１５２５の動作は、図１０を参照して説明したように、ＡＰ誤り訂正メッセージングモジュール１０２０によって実行され得る。
【０１０２】
[0110]図１６は、本開示のさまざまな態様に係る、信頼性のあるチャネル支援型ＨＡＲＱのための方法１６００を例示するフローチャートを示す。方法１６００の動作は、図１−１２を参照して説明したように、ＡＰ１０５またはその構成要素によって実施され得る。たとえば、方法１６００の動作は、図９−１２を参照して説明したように、ＡＰ送信誤り訂正モジュール９１０によって実行され得る。いくつかの例では、ＡＰ１０５は、以下で説明される機能を実行するために、ＡＰ１０５の機能要素を制御するコードのセットを実行し得る。追加的にまたは代替的に、ＡＰ１０５は、専用ハードウェアを使用して、以下で説明される機能の態様を実行し得る。方法１６００はまた、図１３−１５の方法１３００、１４００、および１５００の態様を組み込み得る。
【０１０３】
[0111]ブロック１６０５において、ＡＰ１０５は、図２−４を参照して説明したように、アンライセンス無線周波数スペクトル帯域中の第１のチャネル上でパケットを受信デバイスに送信し得、第１のチャネルは、第１の信頼性レベルに関連付けられる。特定の例では、ブロック１６０５の動作は、図９を参照して説明したように、送信機９１５によって実行され得る。
【０１０４】
[0112]ブロック１６１０において、ＡＰ１０５は、図２−４を参照して説明したように、受信デバイスによるパケットの復号が不成功に終わったことを識別するフィードバックを受信し得る。特定の例では、ブロック１６１０の動作は、図１０を参照して説明したように、ＡＰ送信フィードバックモジュール１００５によって実行され得る。
【０１０５】
[0113]ブロック１６１５において、ＡＰ１０５は、図２−４を参照して説明したように、第１のチャネルの劣化レベルを決定し得る。特定の例では、ブロック１６１５の動作は、図１０を参照して説明したように、チャネル品質モジュール１０１０によって実行され得る。
【０１０６】
[0114]ブロック１６２０において、ＡＰ１０５は、図２−４を参照して説明したように、第１のチャネルの識別された劣化レベルに少なくとも部分的に基づいて、送信すべき、識別されたパケットに関連付けられた拡張パリティビットの量を決定し得る。特定の例では、ブロック１６２０の動作は、図１１を参照して説明したように、コンテンツ推定器モジュール１１０５によって実行され得る。
【０１０７】
[0115]ブロック１６２５において、ＡＰ１０５は、図２−４を参照して説明したように、第１のチャネルの劣化レベルに少なくとも部分的に基づいて、アンライセンス無線周波数スペクトル帯域中の第１のチャネルまたはライセンス無線周波数スペクトル帯域中の第２のチャネルから選択し得、第２のチャネルは、第１の信頼性レベルより高い第２の信頼性レベルに関連付けられる。特定の例では、ブロック１６２５の動作は、図１０を参照して説明したように、チャネル選択モジュール１０１５によって実行され得る。
【０１０８】
[0116]ブロック１６３０において、ＡＰ１０５は、図２−４を参照して説明したように、選択されたチャネル上で拡張パリティビットを、受信デバイスに送信し得る。特定の例では、ブロック１６３０の動作は、図１０を参照して説明したように、ＡＰ誤り訂正メッセージングモジュール１０２０によって実行され得る。
【０１０９】
[0117]図１７は、本開示のさまざまな態様に係る、信頼性のあるチャネル支援型ＨＡＲＱのための方法１７００を例示するフローチャートを示す。方法１７００の動作は、図１−１２を参照して説明したように、ＡＰ１０５またはその構成要素によって実施され得る。たとえば、方法１７００の動作は、図９−１２を参照して説明したように、ＡＰ送信誤り訂正モジュール９１０によって実行され得る。いくつかの例では、ＡＰ１０５は、以下で説明される機能を実行するために、ＡＰ１０５の機能要素を制御するコードのセットを実行し得る。追加的にまたは代替的に、ＡＰ１０５は、専用ハードウェアを使用して、以下で説明される態様機能を実行し得る。方法１７００はまた、図１３−１６の方法１３００、１４００、１５００、および１６００の態様を組み込み得る。
【０１１０】
[0118]ブロック１７０５において、ＡＰ１０５は、図２−４を参照して説明したように、第１のチャネルについての第１のチャネル品質インジケータを決定し得、ここで、第１のチャネルの第１の信頼性レベルは、第１のチャネル品質インジケータに基づく。追加的に、ＡＰ１０５は、図２−４を参照して説明したように、第２のチャネルについての第２のチャネル品質インジケータを決定し得、ここで、第２のチャネルの第２の信頼性レベルは、第２のチャネル品質インジケータに基づく。特定の例では、ブロック１７０５の動作は、図１０を参照して説明したように、チャネル品質モジュール１０１０によって実行され得る。
【０１１１】
[0119]ブロック１７１０において、ＡＰ１０５は、図２−４を参照して説明したように、アンライセンス無線周波数スペクトル帯域中の第１のチャネル上でパケットを受信デバイスに送信し得、第１のチャネルは、第１の信頼性レベルに関連付けられる。特定の例では、ブロック１７１０の動作は、図９を参照して説明したように、送信機９１５によって実行され得る。
【０１１２】
[0120]ブロック１７１５において、ＡＰ１０５は、図２−４を参照して説明したように、受信デバイスによるパケットの復号が不成功に終わったことを識別するフィードバックを受信し得る。特定の例では、ブロック１７１５の動作は、図１０を参照して説明したように、ＡＰ送信フィードバックモジュール１００５によって実行され得る。
【０１１３】
[0121]ブロック１７２０において、ＡＰ１０５は、図２−４を参照して説明したように、第１のチャネルの劣化レベルを決定し得る。特定の例では、ブロック１７２０の動作は、図１０を参照して説明したように、チャネル品質モジュール１０１０によって実行され得る。
【０１１４】
[0122]ブロック１７２５において、ＡＰ１０５は、図２−４を参照して説明したように、第１のチャネルの劣化レベルに少なくとも部分的に基づいて、アンライセンス無線周波数スペクトル帯域中の第１のチャネルまたはライセンス無線周波数スペクトル帯域中の第２のチャネルから選択し得、第２のチャネルは、第１の信頼性レベルより高い第２の信頼性レベルに関連付けられる。特定の例では、ブロック１７２５の動作は、図１０を参照して説明したように、チャネル選択モジュール１０１５によって実行され得る。
【０１１５】
[0123]ブロック１７３０において、ＡＰ１０５は、図２−４を参照して説明したように、選択されたチャネル上で受信デバイスに送信し得、ここにおいて、この送信は、識別されたパケットに少なくとも部分的に基づく。特定の例では、ブロック１７３０の動作は、図１０を参照して説明したように、ＡＰ誤り訂正メッセージングモジュール１０２０によって実行され得る。
【０１１６】
[0124]ゆえに、方法１３００、１４００、１５００、１６００、および１７００は、信頼性のあるチャネル支援型ＨＡＲＱを提供し得る。方法１３００、１４００、１５００、１６００、および１７００は、可能な実施を説明すること、および、動作およびステップが、他の実施が可能となるように再配列または他の方法で修正され得ることに留意されるべきである。いくつかの例では、方法１３００、１４００、１５００、１６００、および１７００のうちの２つ以上からの態様が組み合わせられ得る。
【０１１７】
[0125]本明細書における説明は、例を提供するものであり、特許請求の範囲で示される範囲、適用性、または例を限定するものではない。記述された要素の機能および配列は、本開示の範囲から逸脱することなく、変更され得る。さまざまな例は、適宜、さまざまなプロシージャまたは構成要素を省略、代用、または追加し得る。また、いくつかの例に関して説明された特徴は、他の例では組み合わせられ得る。
【０１１８】
[0126]添付の図面に関連して、本明細書で示された説明は、例となる構成を説明するものであり、実施され得るまたは特許請求の範囲内にあるすべての例を表すものではない。本明細書で使用される「例示的」という用語は、「好ましい」または「他の例より有利である」ということではなく、「例、事例、または例示としての機能を果たす」を意味する。詳細な説明は、説明された技法の理解を与えることを目的とした特定の詳細を含む。しかしながら、これらの技法は、これらの特定の詳細なしに実践され得る。いくつかの事例では、周知の構造およびデバイスは、説明された例の概念を曖昧にしないためにブロック図形式で示される。
【０１１９】
[0127]添付の図では、同様の構成要素または特徴は、同じ参照ラベルを有し得る。さらに、同じタイプのさまざまな構成要素は、参照ラベルの後に続く、ダッシュと、同様の構成要素を区別する第２のラベルとによって区別され得る。本明細書で第１の参照ラベルだけが使用される場合、その説明は、第２の参照ラベルに関係なく同じ第１の参照ラベルを有する同様の構成要素のどれに対しても適用可能である。
【０１２０】
[0128]本明細書で説明された情報および信号は、多種多様な技術および技法のうちの任意のものを使用して表され得る。たとえば、上の説明全体にわたって参照され得るデータ、命令、コマンド、情報、信号、ビット、シンボル、およびチップは、電圧、電流、電磁波、磁場または磁性粒子、光場または光粒子、またはこれらの任意の組み合わせで表され得る。
【０１２１】
[0129]本明細書における開示に関連して説明された実例となるさまざまなブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェア構成要素、あるいは本明細書で説明された機能を実行するように設計されたそれらの任意の組み合わせを用いて実施または実行され得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組み合わせ（たとえば、デジタルシグナルプロセッサ（ＤＳＰ）と１つのマイクロプロセッサ、複数のマイクロプロセッサ、ＤＳＰコアと連携した１つまたは複数のマイクロプロセッサ、または任意の他のそのような構成の組み合わせ）として実施され得る。
【０１２２】
[0130]本明細書で説明された機能は、ハードウェア、プロセッサによって実行されるソフトウェア、ファームウェア、またはそれらの任意の組み合わせで実施され得る。プロセッサによって実行されるソフトウェアにより実施される場合、それら機能は、コンピュータ読取可能な媒体上の１つまたは複数の命令またはコードとして記憶または送信され得る。他の例および実施は、添付の特許請求の範囲および本開示の範囲内である。たとえば、ソフトウェアの性質により、上で説明した機能は、プロセッサによって実行されるソフトウェア、ハードウェア、ファームウェア、ハードワイヤリング、またはこれらのうちの任意のものの組み合わせを使用して実施されることができる。機能を実施する特徴はまた、さまざまな位置に物理的に位置し得、これは、機能の一部が異なる物理的ロケーションにおいて実施されるように分散されていることを含む。また、特許請求の範囲を含む、本明細書で使用される場合、項目のリスト（たとえば、「〜のうちの少なくとも１つ」または「〜のうちの１つまたは複数」のような表現が付される項目のリスト）で使用されるときの「または」は、たとえば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、両立的なリスト（inclusive list）を示す。
【０１２３】
[0131]コンピュータ読取可能な媒体は、ある箇所から別の箇所へのコンピュータプログラムの移送を容易にする任意の媒体を含む通信媒体および非一時的なコンピュータ記憶媒体の両方を含む。非一時的な記憶媒体は、汎用または専用コンピュータによってアクセスされることができる任意の利用可能な媒体であり得る。限定ではなく例として、非一時的なコンピュータ読取可能な媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用もしくは専用コンピュータまたは汎用もしくは専用プロセッサによってアクセスされることができる任意の他の非一時的な媒体を備えることができる。また、任意の接続は厳密にはコンピュータ読取可能な媒体と称され得る。たとえば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、デジタル加入者回線（ＤＳＬ）、または赤外線、電波、およびマイクロ波のようなワイヤレス技術は、媒体の定義に含まれる。本明細書で使用される場合、ディスク（disk）およびディスク（disc）は、ＣＤ、レーザーディスク（登録商標）、光ディスク、デジタル多用途ディスク（ＤＶＤ）、フロッピー（登録商標）ディスクおよびブルーレイディスクを含み、ディスク（disk）は、通常磁気的にデータを再生し、ディスク（disc）は、レーザーを用いて光学的にデータを再生する。上記の組み合わせもまた、コンピュータ読取可能な媒体の範囲内に含まれる。
【０１２４】
[0132]本明細書における説明は、当業者による本開示の実施または使用を可能にするために提供される。本開示に対するさまざまな修正は、当業者には容易に明らかであり、本明細書で定義された包括的な原理は、本開示の範囲から逸脱することなく他の変形に適用され得る。したがって、本開示は、本明細書で説明された例および設計に制限されるべきではなく、本明細書で開示された原理および新規の特徴に合致する最も広い範囲が与えられるべきである。
【図１】
2018529295.tif 000003
【図２】
2018529295.tif 000004
【図３】
2018529295.tif 000005
【図４】
2018529295.tif 000006
【図５】
2018529295.tif 000007
【図６】
2018529295.tif 000008
【図７】
2018529295.tif 000009
【図８】
2018529295.tif 000010
【図９】
2018529295.tif 000011
【図１０】
2018529295.tif 000012
【図１１】
2018529295.tif 000013
【図１２】
2018529295.tif 000014
【図１３】
2018529295.tif 000015
【図１４】
2018529295.tif 000016
【図１５】
2018529295.tif 000017
【図１６】
2018529295.tif 000018
【図１７】
2018529295.tif 000019
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アンライセンス無線周波数スペクトル帯域中の第１のチャネル上でパケットを送信機から受信すること、前記第１のチャネルは、第１の信頼性レベルに関連付けられる、と、
前記パケットの復号が不成功に終わったことを識別するフィードバックを前記送信機に送信することと、
前記識別されたパケットと前記第１のチャネルのチャネル劣化とに少なくとも部分的に基づいてある量の拡張パリティビットを含む送信を前記送信機から受信すること、ここにおいて、前記送信は、前記アンライセンス無線周波数スペクトル帯域中の前記第１のチャネルまたはライセンス無線周波数スペクトル帯域中の第２のチャネルのいずれか上で受信され、前記第２のチャネルは、前記第１の信頼性レベルより高い第２の信頼性レベルに関連付けられる、と
を備える方法。
【請求項２】
復号が不成功に終わった前記パケットをバッファに記憶することをさらに備える、
請求項１に記載の方法。
【請求項３】
前記拡張パリティビットを使用して、前記記憶されたパケットを復号すること
をさらに備える、請求項２に記載の方法。
【請求項４】
復号が不成功に終わった前記パケットに少なくとも部分的に基づいて第２のパケットを、前記第１のチャネルまたは前記第２のチャネル上で前記送信機から受信することと、
前記記憶されたパケットと前記第２のパケットとを組み合わせることと
をさらに備える、請求項２に記載の方法。
【請求項５】
前記組み合わされたパケットを復号することをさらに備える、
請求項４に記載の方法。
【請求項６】
前記第１のチャネルの信号対ノイズ比を決定することと、
前記信号対ノイズ比を前記送信機に送信することと
をさらに備える、請求項１に記載の方法。
【請求項７】
ワイヤレス通信の方法であって、
アンライセンス無線周波数スペクトル帯域中の第１のチャネル上でパケットを受信デバイスに送信すること、前記第１のチャネルは、第１の信頼性レベルに関連付けられる、と、
前記受信デバイスによる前記パケットの復号が不成功に終わったことを識別するフィードバックを受信することと、
前記第１のチャネルの劣化レベルを決定することと、
前記第１のチャネルの前記劣化レベルに少なくとも部分的に基づいて、送信すべき、前記識別されたパケットに関連付けられた拡張パリティビットの量を決定することと、
前記第１のチャネルの前記劣化レベルに少なくとも部分的に基づいて、前記アンライセンス無線周波数スペクトル帯域中の前記第１のチャネルまたはライセンス無線周波数スペクトル帯域中の第２のチャネルから選択すること、前記第２のチャネルは、前記第１の信頼性レベルより高い第２の信頼性レベルに関連付けられる、と、
前記選択されたチャネル上で前記拡張パリティビットを送信することと
を備える方法。
【請求項８】
前記選択されたチャネル上で前記受信デバイスに送信することをさらに備え、前記送信は、前記識別されたパケットに少なくとも部分的に基づく、
請求項７に記載の方法。
【請求項９】
前記選択されたチャネル上で、前記識別されたパケットを送信することをさらに備える、
請求項７に記載の方法。
【請求項１０】
前記選択されたチャネルは、前記第１のチャネルの前記劣化レベルに少なくとも部分的に基づく、
請求項９に記載の方法。
【請求項１１】
前記第１のチャネルについての信号対ノイズ比を受信することをさらに備え、前記第１のチャネルの前記劣化レベルを決定することは、前記受信された信号対ノイズ比に少なくとも部分的に基づく、
請求項７に記載の方法。
【請求項１２】
前記第１のチャネルについての第１のチャネル品質インジケータを決定することをさらに備え、前記第１のチャネルの前記第１の信頼性レベルは、前記第１のチャネル品質インジケータに少なくとも部分的に基づく、
請求項７に記載の方法。
【請求項１３】
前記第２のチャネルについての第２のチャネル品質インジケータを決定することをさらに備え、前記第２のチャネルの前記第２の信頼性レベルは、前記第２のチャネル品質インジケータに少なくとも部分的に基づく、
請求項７に記載の方法。
【請求項１４】
復号が不成功に終わったパケットを識別する前記フィードバックは、否定応答（ＮＡＣＫ）メッセージを備える、
請求項７に記載の方法。
【請求項１５】
ワイヤレス通信のための装置であって、
アンライセンス無線周波数スペクトル帯域中の第１のチャネル上でパケットを送信機から受信するための手段、前記第１のチャネルは、第１の信頼性レベルに関連付けられる、と、
前記パケットの復号が不成功に終わったことを識別するフィードバックを前記送信機に送信するための手段と、
前記識別されたパケットと前記第１のチャネルのチャネル劣化とに少なくとも部分的に基づいてある量の拡張パリティビットを含む送信を前記送信機から受信するための手段、ここにおいて、前記送信は、前記アンライセンス無線周波数スペクトル帯域中の前記第１のチャネルまたはライセンス無線周波数スペクトル帯域中の第２のチャネルのいずれか上で受信され、前記第２のチャネルは、前記第１の信頼性レベルより高い第２の信頼性レベルに関連付けられる、と
を備える装置。
【請求項１６】
復号が不成功に終わった前記パケットをバッファに記憶するための手段をさらに備える、
請求項１５に記載の装置。
【請求項１７】
前記拡張パリティビットを使用して、前記記憶されたパケットを復号するための手段
をさらに備える、請求項１６に記載の装置。
【請求項１８】
復号が不成功に終わった前記パケットに少なくとも部分的に基づいて第２のパケットを、前記第１のチャネルまたは前記第２のチャネル上で前記送信機から受信するための手段と、
前記記憶されたパケットと前記第２のパケットとを組み合わせるための手段と
をさらに備える、請求項１６に記載の装置。
【請求項１９】
前記組み合わされたパケットを復号するための手段をさらに備える、
請求項１８に記載の装置。
【請求項２０】
前記第１のチャネルの信号対ノイズ比を決定するための手段と、
前記信号対ノイズ比を前記送信機に送信するための手段と
をさらに備える、請求項１５に記載の装置。
【請求項２１】
ワイヤレス通信のための装置であって、
アンライセンス無線周波数スペクトル帯域中の第１のチャネル上でパケットを受信デバイスに送信するための手段、前記第１のチャネルは、第１の信頼性レベルに関連付けられる、と、
前記受信デバイスによる前記パケットの復号が不成功に終わったことを識別するフィードバックを受信するための手段と、
前記第１のチャネルの劣化レベルを決定するための手段と、
前記第１のチャネルの前記劣化レベルに少なくとも部分的に基づいて、送信すべき、前記識別されたパケットに関連付けられた拡張パリティビットの量を決定するための手段と、
前記第１のチャネルの前記劣化レベルに少なくとも部分的に基づいて、前記アンライセンス無線周波数スペクトル帯域中の前記第１のチャネルまたはライセンス無線周波数スペクトル帯域中の第２のチャネルから選択するための手段、前記第２のチャネルは、前記第１の信頼性レベルより高い第２の信頼性レベルに関連付けられる、と、
前記選択されたチャネル上で前記拡張パリティビットを送信するための手段と
を備える装置。
【請求項２２】
前記選択されたチャネル上で前記受信デバイスに送信するための手段をさらに備え、前記送信は、前記識別されたパケットに少なくとも部分的に基づく、
請求項２１に記載の装置。
【請求項２３】
前記選択されたチャネル上で、前記識別されたパケットを送信するための手段をさらに備える、
請求項２１に記載の装置。
【請求項２４】
前記選択されたチャネルは、前記第１のチャネルの前記劣化レベルに少なくとも部分的に基づく、
請求項２３に記載の装置。
【請求項２５】
前記第１のチャネルの信号対ノイズ比を受信するための手段をさらに備え、前記命令は、前記受信された信号対ノイズ比に少なくとも部分的に基づいて、前記第１のチャネルの前記劣化レベルを決定することを前記装置に行わせるように動作可能である、
請求項２１に記載の装置。
【請求項２６】
前記第１のチャネルについての第１のチャネル品質インジケータを決定するための手段をさらに備え、前記第１のチャネルの前記第１の信頼性レベルは、前記第１のチャネル品質インジケータに少なくとも部分的に基づく、
請求項２１に記載の装置。
【請求項２７】
前記第２のチャネルについての第２のチャネル品質インジケータを決定するための手段をさらに備え、前記第２のチャネルの前記第２の信頼性レベルは、前記第２のチャネル品質インジケータに少なくとも部分的に基づく、
請求項２１に記載の装置。
【請求項２８】
復号が不成功に終わったパケットを識別する前記フィードバックは、否定応答（ＮＡＣＫ）メッセージを備える、
請求項２１に記載の装置。
【手続補正２】
【補正対象書類名】明細書
【補正対象項目名】０１２４
【補正方法】変更
【補正の内容】
【０１２４】
[0132]本明細書における説明は、当業者による本開示の実施または使用を可能にするために提供される。本開示に対するさまざまな修正は、当業者には容易に明らかであり、本明細書で定義された包括的な原理は、本開示の範囲から逸脱することなく他の変形に適用され得る。したがって、本開示は、本明細書で説明された例および設計に制限されるべきではなく、本明細書で開示された原理および新規の特徴に合致する最も広い範囲が与えられるべきである。
以下に本願発明の当初の特許請求の範囲に記載された発明を付記する。
［Ｃ１］
ワイヤレス通信の方法であって、
アンライセンス無線周波数スペクトル帯域中の第１のチャネル上でパケットを送信機から受信すること、前記第１のチャネルは、第１の信頼性レベルに関連付けられる、と、
前記パケットの復号が不成功に終わったことを識別するフィードバックを前記送信機に送信することと、
前記アンライセンス無線周波数スペクトル帯域中の前記第１のチャネルまたはライセンス無線周波数スペクトル帯域中の第２のチャネルのいずれか上で、前記識別されたパケットに少なくとも部分的に基づいた送信を前記送信機から受信すること、前記第２のチャネルは、前記第１の信頼性レベルより高い第２の信頼性レベルに関連付けられる、と
を備える方法。
［Ｃ２］
復号が不成功に終わった前記パケットをバッファに記憶することをさらに備える、
Ｃ１に記載の方法。
［Ｃ３］
前記識別されたパケットに関連付けられた拡張パリティビットを、前記第１のチャネルまたは前記第２のチャネル上で前記送信機から受信することと、
前記拡張パリティビットを使用して、前記記憶されたパケットを復号することと
をさらに備える、Ｃ２に記載の方法。
［Ｃ４］
復号が不成功に終わった前記パケットに少なくとも部分的に基づいて第２のパケットを、前記第１のチャネルまたは前記第２のチャネル上で前記送信機から受信することと、
前記記憶されたパケットと前記第２のパケットとを組み合わせることと
をさらに備える、Ｃ２に記載の方法。
［Ｃ５］
前記組み合わされたパケットを復号することをさらに備える、
Ｃ４に記載の方法。
［Ｃ６］
前記第１のチャネルの信号対ノイズ比を決定することと、
前記信号対ノイズ比を前記送信機に送信することと
をさらに備える、Ｃ１に記載の方法。
［Ｃ７］
ワイヤレス通信の方法であって、
アンライセンス無線周波数スペクトル帯域中の第１のチャネル上でパケットを受信デバイスに送信すること、前記第１のチャネルは、第１の信頼性レベルに関連付けられる、と、
前記受信デバイスによる前記パケットの復号が不成功に終わったことを識別するフィードバックを受信することと、
前記第１のチャネルの劣化レベルを決定することと、
前記第１のチャネルの前記劣化レベルに少なくとも部分的に基づいて、前記アンライセンス無線周波数スペクトル帯域中の前記第１のチャネルまたはライセンス無線周波数スペクトル帯域中の第２のチャネルから選択すること、前記第２のチャネルは、前記第１の信頼性レベルより高い第２の信頼性レベルに関連付けられる、と
を備える方法。
［Ｃ８］
前記選択されたチャネル上で前記受信デバイスに送信することをさらに備え、前記送信は、前記識別されたパケットに少なくとも部分的に基づく、
Ｃ７に記載の方法。
［Ｃ９］
前記第１のチャネルの前記劣化レベルに少なくとも部分的に基づいて、送信すべき前記識別されたパケットに関連付けられた拡張パリティビットの量を決定することと、
前記選択されたチャネル上で前記拡張パリティビットを送信することと
をさらに備える、Ｃ７に記載の方法。
［Ｃ１０］
前記選択されたチャネル上で、前記識別されたパケットを送信することをさらに備える、
Ｃ７に記載の方法。
［Ｃ１１］
前記選択されたチャネルは、前記第１のチャネルの前記劣化レベルに少なくとも部分的に基づく、
Ｃ１０に記載の方法。
［Ｃ１２］
前記第１のチャネルについての信号対ノイズ比を受信することをさらに備え、前記第１のチャネルの前記劣化レベルを決定することは、前記受信された信号対ノイズ比に少なくとも部分的に基づく、
Ｃ７に記載の方法。
［Ｃ１３］
前記第１のチャネルについての第１のチャネル品質インジケータを決定することをさらに備え、前記第１のチャネルの前記第１の信頼性レベルは、前記第１のチャネル品質インジケータに少なくとも部分的に基づく、
Ｃ７に記載の方法。
［Ｃ１４］
前記第２のチャネルについての第２のチャネル品質インジケータを決定することをさらに備え、前記第２のチャネルの前記第２の信頼性レベルは、前記第２のチャネル品質インジケータに少なくとも部分的に基づく、
Ｃ７に記載の方法。
［Ｃ１５］
復号が不成功に終わったパケットを識別する前記フィードバックは、否定応答（ＮＡＣＫ）メッセージを備える、
Ｃ７に記載の方法。
［Ｃ１６］
ワイヤレス通信のための装置であって、
アンライセンス無線周波数スペクトル帯域中の第１のチャネル上でパケットを送信機から受信するための手段、前記第１のチャネルは、第１の信頼性レベルに関連付けられる、と、
前記パケットの復号が不成功に終わったことを識別するフィードバックを前記送信機に送信するための手段と、
前記アンライセンス無線周波数スペクトル帯域中の前記第１のチャネルまたはライセンス無線周波数スペクトル帯域中の第２のチャネルのいずれか上で、前記識別されたパケットに少なくとも部分的に基づいた送信を前記送信機から受信するための手段、前記第２のチャネルは、前記第１の信頼性レベルより高い第２の信頼性レベルに関連付けられる、と
を備える装置。
［Ｃ１７］
復号が不成功に終わった前記パケットをバッファに記憶するための手段をさらに備える、
Ｃ１６に記載の装置。
［Ｃ１８］
前記識別されたパケットに関連付けられた拡張パリティビットを、前記第１のチャネルまたは前記第２のチャネル上で前記送信機から受信するための手段と、
前記拡張パリティビットを使用して、前記記憶されたパケットを復号するための手段と
をさらに備える、Ｃ１７に記載の装置。
［Ｃ１９］
復号が不成功に終わった前記パケットに少なくとも部分的に基づいて第２のパケットを、前記第１のチャネルまたは前記第２のチャネル上で前記送信機から受信するための手段と、
前記記憶されたパケットと前記第２のパケットとを組み合わせるための手段と
をさらに備える、Ｃ１７に記載の装置。
［Ｃ２０］
前記組み合わされたパケットを復号するための手段をさらに備える、
Ｃ１９に記載の装置。
［Ｃ２１］
前記第１のチャネルの信号対ノイズ比を決定するための手段と、
前記信号対ノイズ比を前記送信機に送信するための手段と
をさらに備える、Ｃ１６に記載の装置。
［Ｃ２２］
ワイヤレス通信のための装置であって、
アンライセンス無線周波数スペクトル帯域中の第１のチャネル上でパケットを受信デバイスに送信するための手段、前記第１のチャネルは、第１の信頼性レベルに関連付けられる、と、
前記受信デバイスによる前記パケットの復号が不成功に終わったことを識別するフィードバックを受信するための手段と、
前記第１のチャネルの劣化レベルを決定するための手段と、
前記第１のチャネルの前記劣化レベルに少なくとも部分的に基づいて、前記アンライセンス無線周波数スペクトル帯域中の前記第１のチャネルまたはライセンス無線周波数スペクトル帯域中の第２のチャネルから選択するための手段、前記第２のチャネルは、前記第１の信頼性レベルより高い第２の信頼性レベルに関連付けられる、と
を備える装置。
［Ｃ２３］
前記選択されたチャネル上で前記受信デバイスに送信するための手段をさらに備える、ここにおいて、前記送信は、前記識別されたパケットに少なくとも部分的に基づく、
Ｃ２２に記載の装置。
［Ｃ２４］
前記第１のチャネルの前記劣化レベルに少なくとも部分的に基づいて、送信すべき前記識別されたパケットに関連付けられた拡張パリティビットの量を決定するための手段と、
前記選択されたチャネル上で前記拡張パリティビットを送信するための手段と
をさらに備える、Ｃ２２に記載の装置。
［Ｃ２５］
前記選択されたチャネル上で、前記識別されたパケットを送信するための手段をさらに備える、
Ｃ２２に記載の装置。
［Ｃ２６］
前記選択されたチャネルは、前記第１のチャネルの前記劣化レベルに少なくとも部分的に基づく、
Ｃ２５に記載の装置。
［Ｃ２７］
前記第１のチャネルの信号対ノイズ比を受信するための手段をさらに備え、前記命令は、前記受信された信号対ノイズ比に少なくとも部分的に基づいて、前記第１のチャネルの前記劣化レベルを決定することを前記装置に行わせるように動作可能である、
Ｃ２２に記載の装置。
［Ｃ２８］
前記第１のチャネルについての第１のチャネル品質インジケータを決定するための手段をさらに備え、前記第１のチャネルの前記第１の信頼性レベルは、前記第１のチャネル品質インジケータに少なくとも部分的に基づく、
Ｃ２２に記載の装置。
［Ｃ２９］
前記第２のチャネルについての第２のチャネル品質インジケータを決定するための手段をさらに備え、前記第２のチャネルの前記第２の信頼性レベルは、前記第２のチャネル品質インジケータに少なくとも部分的に基づく、
Ｃ２２に記載の装置。
［Ｃ３０］
復号が不成功に終わったパケットを識別する前記フィードバックは、否定応答（ＮＡＣＫ）メッセージを備える、
Ｃ２２に記載の装置。
【国際調査報告】
2018529295.tif 000020
2018529295.tif 000021